(57)【要約】  本発明の実施例は、既存のLTEシステムが新たなタイプの端末をサポートしないという問題を解決するためのスケジューリング方法、データ伝送方法及び装置を提供し、通信技術の分野に関する。スケジューリング方法は、基地局により、下りリンク制御情報DCIを第１のタイプの端末に送信するステップであり、DCIは、第１のモードのフレームフォーマットを使用することにより上りリンクデータを送信するように第１のタイプの端末に対して命令するために使用されるスケジューリング情報を含むステップを含み、第１のモードのフレームフォーマットは、少なくとも１つの上りリンクサブフレームを含み、各上りリンクサブフレームは、少なくとも１つの第１のモードのフレームフォーマットのシンボルを含み、第１のモードのフレームフォーマットのシンボルの持続時間は、第２のモードのフレームフォーマットのシンボルの持続時間の少なくとも４倍であり、第２のモードのフレームフォーマットのシンボルは、LTEシステムにおけるシングルキャリア周波数分割多元接続SC-FDMAシンボルである。
2019503141.tif 000002
【特許請求の範囲】
【請求項１】
通信システムに適用されるスケジューリング方法であって、
基地局により、下りリンク制御情報DCIを第１のタイプの端末に送信するステップであり、前記DCIは、第１のモードのフレームフォーマットを使用することにより上りリンクデータを送信するように前記第１のタイプの端末に対して命令するために使用されるスケジューリング情報を含むステップを含み、
前記第１のモードのフレームフォーマットは、少なくとも１つの上りリンクサブフレームを含み、各上りリンクサブフレームは、少なくとも１つの第１のモードのフレームフォーマットのシンボルを含み、
前記第１のモードのフレームフォーマットのシンボルの持続時間は、第２のモードのフレームフォーマットのシンボルの持続時間の少なくとも４倍であり、前記第２のモードのフレームフォーマットのシンボルは、LTEシステムにおけるシングルキャリア周波数分割多元接続SC-FDMAシンボルである方法。
【請求項２】
前記通信システムが周波数分割複信FDDシステムであり、上りリンクにおいて通常サイクリックプレフィクスCPを使用するときに、前記上りリンクサブフレームの持続時間が1ミリ秒である場合、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒未満であるか、或いは
前記通信システムがFDDシステムであり、上りリンクにおいて拡張CPを使用するときに、前記上りリンクサブフレームの持続時間が1ミリ秒である場合、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒に等しい、請求項１に記載の方法。
【請求項３】
前記通信システムがFDDシステムであるときに、前記第１のモードのフレームフォーマットの時間長はN*10ミリ秒であり、Nは1であるか或いは0より大きい偶数であり、前記第１のモードのフレームフォーマットにおける前記上りリンクサブフレームはMミリ秒であり、Mは0より大きい偶数であり、M<=N*10であり、
前記第１のモードのフレームフォーマットにおける前記上りリンクサブフレームの持続時間が2ミリ秒であり、前記通信システムが上りリンクにおいて通常CPを使用するときに、前記上りリンクサブフレームは７個の第１のモードのフレームフォーマットのシンボルを含み、前記７個の第１のモードのフレームフォーマットのシンボルの持続時間は２８個の第２のモードのフレームフォーマットのシンボルの持続時間に等しく、2ミリ秒に等しいか、或いは
前記第１のモードのフレームフォーマットにおける前記上りリンクサブフレームの持続時間が2ミリ秒であり、前記通信システムが上りリンクにおいて拡張CPを使用するときに、前記上りリンクサブフレームは６個の第１のモードのフレームフォーマットのシンボルを含み、前記６個の第１のモードのフレームフォーマットのシンボルの持続時間は２４個の第２のモードのフレームフォーマットのシンボルの持続時間に等しく、2ミリ秒に等しい、請求項１に記載の方法。
【請求項４】
前記通信システムが時分割複信TDDシステムであるときに、前記第１のモードのフレームフォーマットは、少なくとも１つのスペシャルサブフレームと、少なくとも１つの下りリンクサブフレームとを含み、前記スペシャルサブフレームは、下りリンクパイロットタイムスロットDwPTS、上りリンクパイロットタイムスロットUpPTS又はガード期間GPのうち少なくとも１つを含む、請求項１に記載の方法。
【請求項５】
前記通信システムがTDDシステムであるときに、各上りリンクサブフレームは、前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が1ミリ秒であるときに、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒未満であるか、或いは
前記通信システムが上りリンクにおいて拡張CPを使用し、前記上りリンクサブフレームの持続時間が1ミリ秒であるときに、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒に等しい、請求項４に記載の方法。
【請求項６】
前記通信システムがTDDシステムであるときに、5ミリ秒の周期が前記第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が2ミリ秒であるときに、前記上りリンクサブフレームは７個の第１のモードのフレームフォーマットのシンボルを含み、前記７個の第１のモードのフレームフォーマットのシンボルの持続時間は２８個の第２のモードのフレームフォーマットのシンボルの持続時間に等しく、2ミリ秒に等しいか、或いは
前記通信システムが上りリンクにおいて拡張CPを使用し、前記上りリンクサブフレームの持続時間が2ミリ秒であるときに、前記上りリンクサブフレームは６個の第１のモードのフレームフォーマットのシンボルを含み、前記６個の第１のモードのフレームフォーマットのシンボルの持続時間は２４個の第２のモードのフレームフォーマットのシンボルの持続時間に等しく、2ミリ秒に等しい、請求項４に記載の方法。
【請求項７】
前記通信システムがTDDシステムであるときに、5ミリ秒の周期が前記第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が3ミリ秒であるときに、前記上りリンクサブフレームは１０個の第１のモードのフレームフォーマットのシンボルを含み、前記１０個の第１のモードのフレームフォーマットのシンボルの持続時間は４０個の第２のモードのフレームフォーマットのシンボルの持続時間に等しく、3ミリ秒未満であるか、或いは
前記通信システムが上りリンクにおいて拡張CPを使用し、前記上りリンクサブフレームの持続時間が3ミリ秒であるときに、前記上りリンクサブフレームは９個の第１のモードのフレームフォーマットのシンボルを含み、前記９個の第１のモードのフレームフォーマットのシンボルの持続時間は３６個の第２のモードのフレームフォーマットのシンボルの持続時間に等しく、3ミリ秒に等しい、請求項４に記載の方法。
【請求項８】
上りリンク復調参照信号は、前記少なくとも１つの上りリンクサブフレーム内の前記少なくとも１つの第１のモードのフレームフォーマットのシンボル上で送信される、請求項１乃至７のうちいずれか１項に記載の方法。
【請求項９】
1ミリ秒の時間長内に含まれる第１のモードのフレームフォーマットのシンボルのうち最後の第１のモードのフレームフォーマットのシンボルが前記1ミリ秒の時間長内の最後の第２のモードのフレームフォーマットのシンボルと部分的に或いは完全に重複するときに、上りリンク信号又はチャネルは、前記1ミリ秒の時間長内の前記最後の第１のモードのフレームフォーマットのシンボル上で送信されない、請求項１乃至８のうちいずれか１項に記載の方法。
【請求項１０】
前記第２のモードのフレームフォーマットは、前記TDDシステムに適用可能なフレーム構造タイプ２を含み、前記フレーム構造タイプ２は、１つのスペシャルサブフレームと、複数の下りリンクサブフレームと、複数の上りリンクサブフレームとを含み、前記スペシャルサブフレーム、各下りリンクサブフレーム及び各上りリンクサブフレームのそれぞれの持続時間は1ミリ秒であり、前記スペシャルサブフレームは、下りリンクパイロットタイムスロットDwPTSと、上りリンクパイロットタイムスロットUpPTSと、ガード期間GPとを含み、前記第１のモードのフレームフォーマットがUpPTSを含み、前記第１のモードのフレームフォーマットにおける前記UpPTSの長さが前記フレーム構造タイプ２における前記UpPTSの長さ以下であるときに、上りリンク信号又はチャネルは、前記第１のモードのフレームフォーマットに含まれる前記UpPTS内で送信されない、請求項４乃至９のうちいずれか１項に記載の方法。
【請求項１１】
前記第２のモードのフレームフォーマットが利用不可能な上りリンクサブフレームを含むときに、上りリンク信号又はチャネルは、前記第２のモードのフレームフォーマットにおける前記利用不可能な上りリンクサブフレームの持続時間内の対応する第１のモードのフレームフォーマットのシンボル上で送信されない、請求項１乃至１０のうちいずれか１項に記載の方法。
【請求項１２】
前記基地局により、下りリンク制御情報DCIを第２のタイプの端末又は第３のタイプの端末に送信するステップであり、前記DCIは、第２のモードのフレームフォーマットを使用することにより上りリンクデータを送信するように前記第２のタイプの端末又は前記第３のタイプの端末に対して命令するために使用されるスケジューリング情報を含むステップを更に含み、
前記第２のモードのフレームフォーマットは、FDDシステムに適用可能なフレーム構造タイプ１と、TDDシステムに適用可能なフレーム構造タイプ２とを含み、前記第２のモードのフレームフォーマットは１０個のサブフレームを含み、各サブフレームの長さは1ミリ秒であり、前記第２のモードのフレームフォーマットに対応する物理リソース情報内のサブキャリアの間の間隔は15kHzである、請求項１乃至１１のうちいずれか１項に記載の方法。
【請求項１３】
前記端末が前記第１のタイプの端末であるときに、前記スケジューリング情報は、前記上りリンクデータが前記第１のモードのフレームフォーマットを使用することにより送信されるときに使用される物理リソース情報を含み、前記物理リソース情報は時間リソース及び周波数リソースを含み、前記時間リソースは少なくとも１つの上りリンクサブフレームを含み、前記周波数リソースは１つのサブキャリアを含むか、或いは
前記端末が前記第２のタイプの端末又は前記第３のタイプの端末であるときに、前記スケジューリング情報は、前記上りリンクデータが前記第２のモードのフレームフォーマットを使用することにより送信されるときに使用される物理リソース情報を含み、前記物理リソース情報は時間リソース及び周波数リソースを含み、前記時間リソースは少なくとも１つの上りリンクサブフレームを含み、前記周波数リソースは１つ以上のサブキャリア（最大で１２個のサブキャリア）を含む、請求項１乃至１２のうちいずれか１項に記載の方法。
【請求項１４】
データ伝送方法であって、
端末により、上りリンク制御情報又はランダムアクセス情報を基地局に送信するステップであり、前記端末は第１のタイプの端末であり、前記上りリンク制御情報又は前記ランダムアクセス情報を送信するために使用されるフレームフォーマットは第１のモードのフレームフォーマットであるステップを含み、
前記第１のモードのフレームフォーマットは、少なくとも１つの上りリンクサブフレームを含み、各上りリンクサブフレームは、少なくとも１つの第１のモードのフレームフォーマットのシンボルを含み、
前記第１のモードのフレームフォーマットのシンボルの持続時間は、第２のモードのフレームフォーマットのシンボルの持続時間の少なくとも４倍であり、前記第２のモードのフレームフォーマットのシンボルは、LTEシステムにおけるシングルキャリア周波数分割多元接続SC-FDMAシンボルである方法。
【請求項１５】
前記端末が前記上りリンク制御情報を前記基地局に送信するときに、端末により、上りリンク制御情報を基地局に送信する前に、
前記端末により、前記基地局により送信された下りリンク制御情報DCIを受信するステップであり、前記DCIは、前記第１のモードのフレームフォーマットを使用することにより上りリンクデータを送信するように前記第１のタイプの端末に対して命令するために使用されるスケジューリング情報を含むステップを更に含む、請求項１４に記載の方法。
【請求項１６】
前記通信システムが周波数分割複信FDDシステムであり、上りリンクにおいて通常サイクリックプレフィクスCPを使用するときに、前記上りリンクサブフレームの持続時間が1ミリ秒である場合、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒未満であるか、或いは
前記通信システムがFDDシステムであり、上りリンクにおいて拡張CPを使用するときに、前記上りリンクサブフレームの持続時間が1ミリ秒である場合、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒に等しい、請求項１４又は１５に記載の方法。
【請求項１７】
前記通信システムがFDDシステムであるときに、前記第１のモードのフレームフォーマットの時間長はN*10ミリ秒であり、Nは1であるか或いは0より大きい偶数であり、前記第１のモードのフレームフォーマットにおける前記上りリンクサブフレームはMミリ秒であり、Mは0より大きい偶数であり、M<=N*10であり、
前記第１のモードのフレームフォーマットにおける前記上りリンクサブフレームの持続時間が2ミリ秒であり、前記通信システムが上りリンクにおいて通常CPを使用するときに、前記上りリンクサブフレームは７個の第１のモードのフレームフォーマットのシンボルを含み、前記７個の第１のモードのフレームフォーマットのシンボルの持続時間は２８個の第２のモードのフレームフォーマットのシンボルの持続時間に等しく、2ミリ秒に等しいか、或いは
前記第１のモードのフレームフォーマットにおける前記上りリンクサブフレームの持続時間が2ミリ秒であり、前記通信システムが上りリンクにおいて拡張CPを使用するときに、前記上りリンクサブフレームは６個の第１のモードのフレームフォーマットのシンボルを含み、前記６個の第１のモードのフレームフォーマットのシンボルの持続時間は２４個の第２のモードのフレームフォーマットのシンボルの持続時間に等しく、2ミリ秒に等しい、請求項１４又は１５に記載の方法。
【請求項１８】
前記通信システムが時分割複信TDDシステムであるときに、前記第１のモードのフレームフォーマットは、少なくとも１つのスペシャルサブフレームと、少なくとも１つの下りリンクサブフレームとを含み、前記スペシャルサブフレームは、下りリンクパイロットタイムスロットDwPTS、上りリンクパイロットタイムスロットUpPTS又はガード期間GPのうち少なくとも１つを含む、請求項１４又は１５に記載の方法。
【請求項１９】
前記通信システムが前記TDDシステムであるときに、各上りリンクサブフレームは、前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が1ミリ秒であるときに、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒未満であるか、或いは
前記通信システムが上りリンクにおいて拡張CPを使用し、前記上りリンクサブフレームの持続時間が1ミリ秒であるときに、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒に等しい、請求項１８に記載の方法。
【請求項２０】
前記通信システムが前記TDDシステムであるときに、5ミリ秒の周期が前記第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が2ミリ秒であるときに、前記上りリンクサブフレームは７個の第１のモードのフレームフォーマットのシンボルを含み、前記７個の第１のモードのフレームフォーマットのシンボルの持続時間は２８個の第２のモードのフレームフォーマットのシンボルの持続時間に等しく、2ミリ秒に等しいか、或いは
前記通信システムが上りリンクにおいて拡張CPを使用し、前記上りリンクサブフレームの持続時間が2ミリ秒であるときに、前記上りリンクサブフレームは６個の第１のモードのフレームフォーマットのシンボルを含み、前記６個の第１のモードのフレームフォーマットのシンボルの持続時間は２４個の第２のモードのフレームフォーマットのシンボルの持続時間に等しく、2ミリ秒に等しい、請求項１８に記載の方法。
【請求項２１】
前記通信システムが前記TDDシステムであるときに、5ミリ秒の周期が前記第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が3ミリ秒であるときに、前記上りリンクサブフレームは１０個の第１のモードのフレームフォーマットのシンボルを含み、前記１０個の第１のモードのフレームフォーマットのシンボルの持続時間は４０個の第２のモードのフレームフォーマットのシンボルの持続時間に等しく、3ミリ秒未満であるか、或いは
前記通信システムが上りリンクにおいて拡張CPを使用し、前記上りリンクサブフレームの持続時間が3ミリ秒であるときに、前記上りリンクサブフレームは９個の第１のモードのフレームフォーマットのシンボルを含み、前記９個の第１のモードのフレームフォーマットのシンボルの持続時間は３６個の第２のモードのフレームフォーマットのシンボルの持続時間に等しく、3ミリ秒に等しい、請求項１８に記載の方法。
【請求項２２】
上りリンク復調参照信号は、前記少なくとも１つの上りリンクサブフレーム内の前記少なくとも１つの第１のモードのフレームフォーマットのシンボル上で送信される、請求項１４乃至２１のうちいずれか１項に記載の方法。
【請求項２３】
1ミリ秒の時間長内に含まれる第１のモードのフレームフォーマットのシンボルのうち最後のシンボルが前記1ミリ秒の時間長内の最後の第２のモードのフレームフォーマットのシンボルと部分的に或いは完全に重複するときに、上りリンク信号又はチャネルは、前記1ミリ秒の時間長内の前記最後の第１のモードのフレームフォーマットのシンボル上で送信されない、請求項１４乃至２２のうちいずれか１項に記載の方法。
【請求項２４】
前記第２のモードのフレームフォーマットは、前記TDDシステムに適用可能なフレーム構造タイプ２を含み、前記フレーム構造タイプ２は、１つのスペシャルサブフレームと、複数の下りリンクサブフレームと、複数の上りリンクサブフレームとを含み、前記スペシャルサブフレーム、各下りリンクサブフレーム及び各上りリンクサブフレームのそれぞれの持続時間は1ミリ秒であり、前記スペシャルサブフレームは、下りリンクパイロットタイムスロットDwPTSと、上りリンクパイロットタイムスロットUpPTSと、ガード期間GPとを含み、前記第１のモードのフレームフォーマットがUpPTSを含み、前記第１のモードのフレームフォーマットにおける前記UpPTSの長さが前記フレーム構造タイプ２における前記UpPTSの長さ以下であるときに、上りリンク信号又はチャネルは、前記第１のモードのフレームフォーマットに含まれる前記UpPTS内で送信されない、請求項１８乃至２３のうちいずれか１項に記載の方法。
【請求項２５】
前記第２のモードのフレームフォーマットが利用不可能な上りリンクサブフレームを含むときに、上りリンク信号又はチャネルは、前記第２のモードのフレームフォーマットにおける前記利用不可能な上りリンクサブフレームの持続時間内の対応する第１のモードのフレームフォーマットのシンボル上で送信されない、請求項１４乃至２４のうちいずれか１項に記載の方法。
【請求項２６】
前記端末が第２のタイプの端末又は第３のタイプの端末であるときに、前記上りリンク制御情報又は前記ランダムアクセス情報に使用されるフレームフォーマットは、第２のモードのフレームフォーマットであり、前記第２のモードのフレームフォーマットは、FDDシステムに適用可能なフレーム構造タイプ１と、TDDシステムに適用可能なフレーム構造タイプ２とを含み、前記第２のモードのフレームフォーマットは１０個のサブフレームを含み、各サブフレームの長さは1ミリ秒であり、前記第２のモードのフレームフォーマットに対応する物理リソース情報内のサブキャリアの間の間隔は15kHzである、請求項１４乃至２５のうちいずれか１項に記載の方法。
【請求項２７】
前記端末が前記上りリンク制御情報を前記基地局に送信するときに、端末により、上りリンク制御情報を基地局に送信する前に、
前記端末により、前記基地局により送信された下りリンク制御情報DCIを受信するステップであり、前記DCIは、前記第２のモードのフレームフォーマットを使用することにより上りリンクデータを送信するように前記第２のタイプの端末又は前記第３のタイプの端末に対して命令するために使用されるスケジューリング情報を含むステップを更に含む、請求項２６に記載の方法。
【請求項２８】
前記端末が前記第１のタイプの端末であるときに、前記スケジューリング情報は、前記上りリンクデータが前記第１のモードのフレームフォーマットを使用することにより送信されるときに使用される物理リソース情報を含み、前記物理リソース情報は時間リソース及び周波数リソースを含み、前記時間リソースは少なくとも１つの上りリンクサブフレームを含み、前記周波数リソースは１つのサブキャリアを含むか、或いは
前記端末が前記第２のタイプの端末又は前記第３のタイプの端末であるときに、前記スケジューリング情報は、前記上りリンクデータが前記第２のモードのフレームフォーマットを使用することにより送信されるときに使用される物理リソース情報を含み、前記物理リソース情報は時間リソース及び周波数リソースを含み、前記時間リソースは少なくとも１つの上りリンクサブフレームを含み、前記周波数リソースは１つ以上のサブキャリア（最大で１２個のサブキャリア）を含む、請求項１４乃至２７のうちいずれか１項に記載の方法。
【請求項２９】
プロセッサと、メモリと、システムバスと、通信インタフェースとを含む基地局であって、
前記メモリは、コンピュータ実行可能命令を記憶するように構成され、前記プロセッサは、前記システムバスを使用することにより前記メモリに接続され、前記基地局が動作するときに、前記プロセッサは、前記メモリに記憶された前記コンピュータ実行可能命令を実行し、それにより、前記基地局は、請求項１乃至１３のうちいずれか１項に記載のスケジューリング方法を実行する基地局。
【請求項３０】
プロセッサと、メモリと、システムバスと、通信インタフェースとを含む端末であって、
前記メモリは、コンピュータ実行可能命令を記憶するように構成され、前記プロセッサは、前記システムバスを使用することにより前記メモリに接続され、前記基地局が動作するときに、前記プロセッサは、前記メモリに記憶された前記コンピュータ実行可能命令を実行し、それにより、前記端末は、請求項１４乃至２８のうちいずれか１項に記載のデータ伝送方法を実行する端末。
【発明の詳細な説明】
【技術分野】
【０００１】
本発明は、通信技術の分野に関し、特に、スケジューリング方法、データ伝送方法及び装置に関する。
【背景技術】
【０００２】
現在、ロングタームエボリューションLTEシステムでは、ユーザ装置UEは、下りリンクサブフレーム内で下りリンク制御情報DCIを検出する。DCIは、UEにより物理上りリンク共有チャネルPUSCHを送信するために使用されるスケジューリング情報、及びUEにより物理下りリンク共有チャネルPDSCHを受信するために使用されるスケジューリング情報、例えば、周波数ドメインにおいて使用される物理リソースブロック数、使用される変調及び符号化方式又は変調方式、及び搬送されるトランスポートブロックに含まれるビット数を含む。PUSCHチャネルは、主に端末により送信される上りリンクデータを搬送し、シングルキャリア周波数分割多元接続SC-FDMAのフォーマットを使用することにより送信される。周波数ドメインにおける最小スケジューリング粒度は１つの物理リソースブロックPRBであり、１つのPRBは周波数ドメインにおいて１２個の直交サブキャリアを含み、サブキャリア間隔は15kHzである。したがって、１つのPRBは180kHzの周波数リソースを含む。
【０００３】
しかし、通信技術の急速な発展により、複数のタイプのLTE端末が既に利用可能であるか、或いは１つのタイプの端末が複数の能力を有し得る。例えば、第１のタイプの端末は、上りリンク方式においてSC-FDMAを用いて3.75kHzの直交サブキャリア間隔で単一のサブキャリアを送信でき、或いは上りリンク方式においてFDMAを用いて3.75kHzのサブチャネル帯域幅で単一のサブチャネルを送信できる。第２のタイプの端末又は第１のタイプの端末は、上りリンク方式においてSC-FDMAを用いて15kHzの直交サブキャリア間隔で単一のサブキャリアを送信する能力を有し、第３のタイプの端末又は第１のタイプの端末は、上りリンク方式においてSC-FDMAを用いて15kHzの直交サブキャリア間隔で複数のサブキャリアを送信する能力を有する。３つのタイプの端末は全て、下りリンクにおいて直交周波数分割多元接続OFDMA技術をサポートし、サブキャリア間隔は15kHzである。
【０００４】
しかし、LTEシステムの最小スケジューリング粒度は１つのPRBであり、単一のサブキャリア又は複数のサブキャリアの粒度のスケジューリングはサポートされていないため、３つのタイプの端末のいずれも、既存のLTEシステムにおいてサポートできない。例えば、第１のタイプの端末が3.75kHzの単一のサブキャリア又はサブチャネル上で信号を送信した場合、時間ドメインにおける信号の長さは、15kHzの単一のサブキャリア上で送信される信号の長さの少なくとも４倍である。LTEシステムにおけるフレーム構造は、15kHzのサブキャリア間隔に従って設計されている。したがって、第１のタイプの端末はサポートされない。したがって、スケジューリング方法、データ伝送方法及び装置が緊急に必要である。
【発明の概要】
【０００５】
本発明の実施例は、既存のLTEシステムが３つの新たなタイプの端末をサポートしないという問題を解決するためのスケジューリング方法、データ処理方法及び装置を提供する。
【０００６】
前述の目的を達成するために、以下の技術的解決策が本発明の実施例において使用される。
【０００７】
第１の態様によれば、スケジューリング方法が提供され、通信システムに適用され、方法は、
基地局により、下りリンク制御情報DCIを第１のタイプの端末に送信するステップであり、DCIは、第１のモードのフレームフォーマットを使用することにより上りリンクデータを送信するように第１のタイプの端末に対して命令するために使用されるスケジューリング情報を含むステップを含み、
第１のモードのフレームフォーマットは、少なくとも１つの上りリンクサブフレームを含み、各上りリンクサブフレームは、少なくとも１つの第１のモードのフレームフォーマットのシンボルを含み、
第１のモードのフレームフォーマットのシンボルの持続時間は、第２のモードのフレームフォーマットのシンボルの持続時間の少なくとも４倍であり、第２のモードのフレームフォーマットのシンボルは、LTEシステムにおけるシングルキャリア周波数分割多元接続SC-FDMAシンボルである。
【０００８】
LTEシステムの上りリンク構成が通常サイクリックプレフィクスCPであるときに、各上りリンクサブフレームは1ミリ秒の持続時間を有し、１４個のSC-FDMAシンボルを含む。したがって、LTEシステムにおける各SC-FDMAシンボルは、通常サイクリックプレフィクスを含み、平均で1/14ミリ秒の持続時間を有する。LTEシステムにおける各上りリンクサブフレームに含まれるSC-FDMAシンボルの持続時間は異なってもよい点に留意すべきである。例えば、各上りリンクサブフレームに含まれる１４個のSC-FDMAシンボルの中で、２つのロングSC-FDMAシンボルが存在し、各ロングSC-FDMAシンボルの持続時間は71.88ミリ秒であり、１２個のショートSC-FDMAシンボルが存在し、各ショートSC-FDMAシンボルの持続時間は71.35ミリ秒である。LTEシステムの上りリンク構成が拡張サイクリックプレフィクスCPであるときに、各上りリンクサブフレームは1ミリ秒の持続時間を有し、同じ持続時間を有する１２個のSC-FMDAシンボルを含む。したがって、LTEシステムにおける各SC-FDMAシンボルは、拡張サイクリックプレフィクスを含み、1/12ミリ秒の持続時間を有する。
【０００９】
LTEシステムにおけるSC-FDMAシンボルがCPを含まないときに、各シンボルの持続時間は66.7ミリ秒である。
【００１０】
上りリンクデータは、物理上りリンク共有チャネルPUSCH上で搬送されるか、或いは上りリンクデータを送信するために使用され且つ第１のタイプの端末のために規定された物理チャネル上で搬送される。
【００１１】
第１の態様を参照して、第１の態様の第１の可能な実現方式では、方法は、
基地局により、下りリンク制御情報DCIを第２のタイプの端末又は第３のタイプの端末に送信するステップであり、DCIは、第２のモードのフレームフォーマットを使用することにより上りリンクデータを送信するように第２のタイプの端末又は第３のタイプの端末に対して命令するために使用されるスケジューリング情報を含むステップを更に含み、
第２のモードのフレームフォーマットは、FDDシステムに適用可能なフレーム構造タイプ１と、TDDシステムに適用可能なフレーム構造タイプ２とを含み、第２のモードのフレームフォーマットにおける各無線フレームは１０個のサブフレームを含み、各サブフレームの長さは1ミリ秒であり、第２のモードのフレームフォーマットに対応する物理リソース情報内のサブキャリアの間の間隔は15kHzである。
【００１２】
例えば、下りリンク制御情報DCIは、上りリンクデータを送信するように端末に対して命令するために使用されるスケジューリング情報を含み、周波数ドメインにおいて使用されるサブキャリア数、使用される変調及び符号化方式若しくは変調方式、又は搬送されるトランスポートブロックに含まれるビット数のうち少なくとも１つを含む。
【００１３】
シングルキャリア周波数分割多元接続SC-FDMAが上りリンクにおいて使用されるときに、第１のモードのフレームフォーマットのシンボルはSC-FDMAシンボルでもよく、或いはFDMA周波数分割多元接続が上りリンクにおいて使用されるときに、第１のモードのフレームフォーマットのシンボルはFDMAシンボルでもよい点に留意すべきである。これは、本発明のこの実施例では具体的に限定されない。さらに、第１のモードのフレームフォーマットのシンボルは、サイクリックプレフィクスCPが追加されたシンボルでもよく、或いはCPが追加されていないシンボルでもよい。第２のモードのフレームフォーマットのシンボルは、サイクリックプレフィクスCPが追加されたシンボルでもよく、或いはCPが追加されていないシンボルでもよい。
【００１４】
通信システムは、周波数分割複信（Frequency  Division  Duplex,  FDD）システムでもよく、或いは時分割複信（Time  Division  Duplex,  TDD）システムでもよい。したがって、第２のモードのフレームフォーマットは、FDDシステムに適用可能なフレーム構造タイプ１と、TDDシステムに適用可能なフレーム構造タイプ２とを含む。さらに、第１のモードのフレームフォーマットは、FDD通信システムとTDD通信システムとの間で変化する。
【００１５】
FDDシステムに適用可能であり且つ第２のモードのフレームフォーマットに含まれるフレーム構造タイプ１が図３に示されている。フレーム構造タイプ１における無線フレームの時間長は10ミリ秒である。無線フレームは２０個のタイムスロットを含み、各タイムスロットは0.5ミリ秒であり、２つのタイムスロットはサブフレームを形成する。すなわち、フレーム構造タイプ１は１０個のサブフレームを含み、各サブフレームの長さは1ミリ秒である。さらに、通常CPが使用されるときに、各サブフレームは１４個のOFDMシンボル又はSC-FDMAシンボルを含み、或いは拡張CPが使用されるときに、各サブフレームは１２個のOFDMシンボル又はSC-FDMAシンボルを含む。
【００１６】
TDDシステムに適用可能であり且つ第２のモードのフレームフォーマットに含まれるフレーム構造タイプ２が図９に示されている。第２のモードのフレームフォーマットは、２つの5ミリ秒のハーフフレームを含む10ミリ秒の無線フレームを含む。各ハーフフレームは５つの1ミリ秒のサブフレームを含み、下りリンクサブフレームと、スペシャルサブフレームと、上りリンクサブフレームとを含む。スペシャルサブフレームは、下りリンクパイロットタイムスロットDwPTSと、上りリンクパイロットタイムスロットUpPTSと、ガード期間CPとを含む。5ミリ秒の周期が下りリンクから上りリンクへの切り替え点に使用されるときに、スペシャルサブフレームは双方のハーフフレームに存在する。10ミリ秒の周期が下りリンクから上りリンクへの切り替え点に使用されるときに、スペシャルサブフレームは第１のハーフフレームのみに存在する。さらに、通常CPが使用されるときに、各サブフレームは１４個のOFDMシンボル又はSC-FDMAシンボルを含み、或いは拡張CPが使用されるときに、各サブフレームは１２個のOFDMシンボル又はSC-FDMAシンボルを含む。
【００１７】
第１の態様又は第１の態様の第１の可能な実現方式を参照して、第１の態様の第２の可能な実現方式では、端末が第１のタイプの端末であるときに、スケジューリング情報は、上りリンクデータが第１のモードのフレームフォーマットを使用することにより送信されるときに使用される物理リソース情報を含み、物理リソース情報は時間リソース及び周波数リソースを含み、時間リソースは少なくとも１つの上りリンクサブフレームを含み、周波数リソースは１つのサブキャリアを含むか、或いは
端末が第２のタイプの端末又は第３のタイプの端末であるときに、スケジューリング情報は、上りリンクデータが第２のモードのフレームフォーマットを使用することにより送信されるときに使用される物理リソース情報を含み、物理リソース情報は時間リソース及び周波数リソースを含み、時間リソースは少なくとも１つの上りリンクサブフレームを含み、周波数リソースは１つ以上のサブキャリア（最大で１２個のサブキャリア）を含む。具体的には、端末が第２のタイプの端末であるときに、周波数リソースは１つのサブキャリアを含む。端末が第２のタイプの端末であるときに、周波数リソースは１つ以上のサブキャリア（最大で１２個のサブキャリア）を含む。
【００１８】
第２の態様によれば、データ伝送方法が提供され、方法は、
端末により、上りリンク制御情報又はランダムアクセス情報を基地局に送信するステップであり、端末は第１のタイプの端末であり、上りリンク制御情報又はランダムアクセス情報を送信するために使用されるフレームフォーマットは第１のモードのフレームフォーマットであるステップを含み、
第１のモードのフレームフォーマットは、少なくとも１つの上りリンクサブフレームを含み、各上りリンクサブフレームは、少なくとも１つの第１のモードのフレームフォーマットのシンボルを含み、
第１のモードのフレームフォーマットのシンボルの持続時間は、第２のモードのフレームフォーマットのシンボルの持続時間の少なくとも４倍であり、第２のモードのフレームフォーマットのシンボルは、LTEシステムにおけるシングルキャリア周波数分割多元接続SC-FDMAシンボルである。
【００１９】
上りリンク制御情報UCIは、端末が下りリンク共有チャネルPDSCH上で搬送された下りリンクデータを正確に受信したか否かを確認するためのACK又はNACKを含むか、或いは下りリンクチャネル品質を反映するために使用されるチャネル状態情報CSIを含む。上りリンク制御情報は、物理上りリンク制御チャネルPUCCH上で搬送されるか、或いは上りリンク制御情報を送信するために使用され且つ第１のタイプの端末のために規定された物理チャネル上で搬送される。ランダムアクセス情報はランダムアクセスプリアンブルを含み、物理ランダムアクセスチャネルPRACH上で搬送されるか、或いは上りリンクランダムアクセス情報を送信するために使用され且つ第１のタイプの端末のために規定された物理チャネル上で搬送される。
【００２０】
任意選択で、第１のモードのフレームフォーマットは予め設定される。例えば、第１のモードのフレームフォーマットは、システムにおいて使用される１つ又はいくつかの指定のキャリア周波数において対応して使用されるか、或いは第１のモードのフレームフォーマットは、指定の下りリンク同期信号系列又は下りリンク同期信号を送信するための指定のフォーマットについて、すなわち、具体的な時間及び／又は周波数リソースマッピング位置において対応して使用されるか、或いは第１のモードのフレームフォーマットは、下りリンクシステム情報を送信するために使用され且つ下りリンクシステム情報内に含まれるか或いは指定されるフォーマットについて、すなわち、具体的な時間及び／又は周波数リソースマッピング位置において対応して使用される。端末は、下りリンクシステム情報における指定の対応関係又は指示情報に従って第１のモードのフレームフォーマットが使用されると習得した後に、第１のフレームフォーマットを使用する上りリンク制御情報又はランダムアクセス情報を基地局に直接送信してもよい。
【００２１】
第２の態様を参照して、第２の態様の第１の可能な実現方式では、端末が上りリンク制御情報を基地局に送信するときに、端末により、上りリンク制御情報を基地局に送信する前に、方法は、
端末により、基地局により送信された下りリンク制御情報DCIを受信するステップであり、DCIは、第１のモードのフレームフォーマットを使用することにより上りリンクデータを送信するように第１のタイプの端末に対して命令するために使用されるスケジューリング情報を含むステップを更に含む。
【００２２】
第２の態様を参照して、第２の態様の第２の可能な実現方式では、端末が第２のタイプの端末又は第３のタイプの端末であるときに、上りリンク制御情報又はランダムアクセス情報を送信するために使用されるフレームフォーマットは、第２のモードのフレームフォーマットであり、第２のモードのフレームフォーマットは、FDDシステムに適用可能なフレーム構造タイプ１と、TDDシステムに適用可能なフレーム構造タイプ２とを含み、第２のモードのフレームフォーマットは１０個のサブフレームを含み、各サブフレームの長さは1ミリ秒であり、第２のモードのフレームフォーマットに対応する物理リソース情報内のサブキャリアの間の間隔は15kHzである。
【００２３】
第２の態様の第２の可能な実現方式を参照して、第２の態様の第３の可能な実現方式では、端末が上りリンク制御情報を基地局に送信するときに、端末により、上りリンク制御情報を基地局に送信する前に、方法は、
端末により、基地局により送信された下りリンク制御情報DCIを受信するステップであり、DCIは、第２のモードのフレームフォーマットを使用することにより上りリンクデータを送信するように第２のタイプの端末又は第３のタイプの端末に対して命令するために使用されるスケジューリング情報を含むステップを更に含む。
【００２４】
第２の態様又は第２の態様の第１〜第３の可能な実現方式のうちいずれかを参照して、第２の態様の第４の可能な実現方式では、端末が第１のタイプの端末であるときに、スケジューリング情報は、上りリンクデータが第１のモードのフレームフォーマットを使用することにより送信されるときに使用される物理リソース情報を含み、物理リソース情報は時間リソース及び周波数リソースを含み、時間リソースは少なくとも１つの上りリンクサブフレームを含み、周波数リソースは１つのサブキャリアを含むか、或いは
端末が第２のタイプの端末又は第３のタイプの端末であるときに、スケジューリング情報は、上りリンクデータが第２のモードのフレームフォーマットを使用することにより送信されるときに使用される物理リソース情報を含み、物理リソース情報は時間リソース及び周波数リソースを含み、時間リソースは少なくとも１つの上りリンクサブフレームを含み、周波数リソースは１つ以上のサブキャリア（最大で１２個のサブキャリア）を含む。具体的には、端末が第２のタイプの端末であるときに、周波数リソースは１つのサブキャリアを含む。端末が第２のタイプの端末であるときに、周波数リソースは１つ以上のサブキャリア（最大で１２個のサブキャリア）を含む。
【００２５】
第１の態様又は第２の態様を参照して、通信システムが周波数分割複信FDDシステムであり、上りリンクにおいて通常サイクリックプレフィクスCPを使用するときに、上りリンクサブフレームの持続時間が1ミリ秒である場合、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒未満であり、第２のモードのフレームフォーマットのシンボルの持続時間は、通常サイクリックプレフィクスを含む各SC-FDMAシンボルの持続時間である。
【００２６】
任意選択で、通信システムがFDDシステムであり、上りリンクにおいて拡張CPを使用するときに、上りリンクサブフレームの持続時間が1ミリ秒である場合、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒に等しく、第２のモードのフレームフォーマットのシンボルの持続時間は、拡張サイクリックプレフィクスを含む各SC-FDMAシンボルの持続時間である。
【００２７】
任意選択で、通信システムがFDDシステムであるときに、第１のモードのフレームフォーマットの時間長はN*10ミリ秒であり、Nは1であるか或いは0より大きい偶数であり、第１のモードのフレームフォーマットにおける上りリンクサブフレームはMミリ秒であり、Mは0より大きい偶数であり、M<=N*10であり、
第１のモードのフレームフォーマットにおける上りリンクサブフレームの持続時間が2ミリ秒であり、通信システムが上りリンクにおいて通常CPを使用するときに、上りリンクサブフレームは７個の第１のモードのフレームフォーマットのシンボルを含み、７個の第１のモードのフレームフォーマットのシンボルの持続時間は２８個の第２のモードのフレームフォーマットのシンボルの持続時間に等しく、2ミリ秒に等しく、第２のモードのフレームフォーマットのシンボルの持続時間は、通常サイクリックプレフィクスを含む各SC-FDMAシンボルの持続時間であるか、或いは
第１のモードのフレームフォーマットにおける上りリンクサブフレームの持続時間が2ミリ秒であり、通信システムが上りリンクにおいて拡張CPを使用するときに、上りリンクサブフレームは６個の第１のモードのフレームフォーマットのシンボルを含み、６個の第１のモードのフレームフォーマットのシンボルの持続時間は２４個の第２のモードのフレームフォーマットのシンボルの持続時間に等しく、2ミリ秒に等しく、第２のモードのフレームフォーマットのシンボルの持続時間は、拡張サイクリックプレフィクスを含む各SC-FDMAシンボルの持続時間である。
【００２８】
任意選択で、通信システムが時分割複信TDDシステムであるときに、第１のモードのフレームフォーマットは、少なくとも１つのスペシャルサブフレームと、少なくとも１つの下りリンクサブフレームとを含み、スペシャルサブフレームは、下りリンクパイロットタイムスロットDwPTS、上りリンクパイロットタイムスロットUpPTS又はガード期間GPのうち少なくとも１つを含む。
【００２９】
任意選択で、通信システムがTDDシステムであるときに、各上りリンクサブフレームは、少なくとも１つの第１のモードのフレームフォーマットのシンボルを含み、各スペシャルサブフレームの時間長は1ミリ秒であり、
通信システムが上りリンクにおいて通常CPを使用し、上りリンクサブフレームの持続時間が1ミリ秒であるときに、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒未満であり、第２のモードのフレームフォーマットのシンボルの持続時間は、通常サイクリックプレフィクスを含む各SC-FDMAシンボルの持続時間であるか、或いは
通信システムが上りリンクにおいて拡張CPを使用し、上りリンクサブフレームの持続時間が1ミリ秒であるときに、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒に等しく、第２のモードのフレームフォーマットのシンボルの持続時間は、拡張サイクリックプレフィクスを含む各SC-FDMAシンボルの持続時間である。
【００３０】
任意選択で、通信システムがTDDシステムであるときに、5ミリ秒の周期が第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは少なくとも１つの第１のモードのフレームフォーマットのシンボルを含み、各スペシャルサブフレームの時間長は1ミリ秒であり、
通信システムが上りリンクにおいて通常CPを使用し、上りリンクサブフレームの持続時間が2ミリ秒であるときに、上りリンクサブフレームは７個の第１のモードのフレームフォーマットのシンボルを含み、７個の第１のモードのフレームフォーマットのシンボルの持続時間は２８個の第２のモードのフレームフォーマットのシンボルの持続時間に等しく、2ミリ秒に等しく、第２のモードのフレームフォーマットのシンボルの持続時間は、通常サイクリックプレフィクスを含む各SC-FDMAシンボルの持続時間であるか、或いは
通信システムが上りリンクにおいて拡張CPを使用し、上りリンクサブフレームの持続時間が2ミリ秒であるときに、上りリンクサブフレームは６個の第１のモードのフレームフォーマットのシンボルを含み、６個の第１のモードのフレームフォーマットのシンボルの持続時間は２４個の第２のモードのフレームフォーマットのシンボルの持続時間に等しく、2ミリ秒に等しく、第２のモードのフレームフォーマットのシンボルの持続時間は、拡張サイクリックプレフィクスを含む各SC-FDMAシンボルの持続時間である。
【００３１】
任意選択で、通信システムがTDDシステムであるときに、5ミリ秒の周期が第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは少なくとも１つの第１のモードのフレームフォーマットのシンボルを含み、各スペシャルサブフレームの時間長は1ミリ秒であり、
通信システムが上りリンクにおいて通常CPを使用し、上りリンクサブフレームの持続時間が3ミリ秒であるときに、上りリンクサブフレームは１０個の第１のモードのフレームフォーマットのシンボルを含み、１０個の第１のモードのフレームフォーマットのシンボルの持続時間は４０個の第２のモードのフレームフォーマットのシンボルの持続時間に等しく、3ミリ秒未満であり、第２のモードのフレームフォーマットのシンボルの持続時間は、通常サイクリックプレフィクスを含む各SC-FDMAシンボルの持続時間であるか、或いは
通信システムが上りリンクにおいて拡張CPを使用し、上りリンクサブフレームの持続時間が3ミリ秒であるときに、上りリンクサブフレームは９個の第１のモードのフレームフォーマットのシンボルを含み、９個の第１のモードのフレームフォーマットのシンボルの持続時間は３６個の第２のモードのフレームフォーマットのシンボルの持続時間に等しく、3ミリ秒に等しく、第２のモードのフレームフォーマットのシンボルの持続時間は、拡張サイクリックプレフィクスを含む各SC-FDMAシンボルの持続時間である。
【００３２】
さらに、通信システムがTDDシステムであるときに、5ミリ秒の周期が第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは少なくとも１つの第１のモードのフレームフォーマットのシンボルを含む。図１８及び図１９に示す第１のモードのフレームフォーマットにおいて、各スペシャルサブフレームは、DwPTS又はGPのうち少なくとも１つを含み、DwPTS又はGPの長さは、LTEシステムにおけるフレーム構造タイプ２におけるスペシャルサブフレーム内のDwPTS又はGPのものと同じであり、スペシャルサブフレームの構成によって変化し、DwPTS及びGPの合計時間長は1ミリ秒未満である。
【００３３】
具体的には、通信システムが下りリンクにおいて通常CPを使用するときに、各下りリンクサブフレームの長さは１４個の直交周波数分割多重OFDMシンボルの長さであるか、或いは通信システムが下りリンクにおいて拡張CPを使用するときに、各下りリンクサブフレームの長さは１２個の直交周波数分割多重OFDMシンボルの長さである。
【００３４】
任意選択で、通信システムが上りリンクにおいて通常CPを使用し、スペシャルサブフレームに含まれるDwPTS及びGPが表２におけるスペシャルサブフレームの構成５、６、７、８又は９を満たすときに、上りリンクサブフレームの持続時間が(T1+3)ミリ秒である場合、上りリンクサブフレームは１１個の第１のモードのフレームフォーマットのシンボルを含み、１１個の第１のモードのフレームフォーマットのシンボルの持続時間は４４個の第２のモードのフレームフォーマットのシンボルの持続時間に等しく、(T1+3)ミリ秒に等しく、T1は1ミリ秒-DwPTSにより占有される時間-GPにより占有される時間であり、DwPTSにより占有される時間及びGPにより占有される時間はミリ秒の単位であり、第２のモードのフレームフォーマットのシンボルの持続時間は、通常サイクリックプレフィクスを含む各SC-FDMAシンボルの持続時間である。
【００３５】
任意選択で、通信システムが上りリンクにおいて通常CPを使用し、スペシャルサブフレームに含まれるDwPTS及びGPが表２におけるスペシャルサブフレームの構成５、６、７、８又は９を満たすときに、上りリンクサブフレームの持続時間が(T2+1)ミリ秒である場合、上りリンクサブフレームは４個の第１のモードのフレームフォーマットのシンボルを含み、４個の第１のモードのフレームフォーマットのシンボルの持続時間は１６個の第２のモードのフレームフォーマットのシンボルの持続時間に等しく、(T2+1)ミリ秒に等しく、T2は1ミリ秒-DwPTSにより占有される時間-GPにより占有される時間であり、DwPTSにより占有される時間及びGPにより占有される時間はミリ秒の単位であり、第２のモードのフレームフォーマットのシンボルの持続時間は、通常サイクリックプレフィクスを含む各SC-FDMAシンボルの持続時間である。
【００３６】
さらに、通信システムがTDDシステムであるときに、10ミリ秒の周期が第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが最初の5ミリ秒の時間長内に含まれ、下りリンクサブフレームのみが最後の5ミリ秒の時間長内に含まれ、各下りリンクサブフレームの持続時間は1ミリ秒である。各上りリンクサブフレームは少なくとも１つの第１のモードのフレームフォーマットのシンボルを含む。各スペシャルサブフレームがDwPTS又はGPのうち少なくとも１つを含み、DwPTS又はGPの長さがLTEシステムにおけるフレーム構造タイプ２におけるスペシャルサブフレーム内のDwPTS又はGPのものと同じである場合、DwPTS及びGPの合計時間長は1ミリ秒未満である。
【００３７】
具体的には、通信システムが下りリンクにおいて通常CPを使用するときに、各下りリンクサブフレームの長さは１４個の直交周波数分割多重OFDMシンボルの長さであるか、或いは通信システムが下りリンクにおいて拡張CPを使用するときに、各下りリンクサブフレームの長さは１２個の直交周波数分割多重OFDMシンボルの長さである。
【００３８】
通信システムが上りリンクにおいて通常CPを使用するときに、最初の5ミリ秒の時間長内の上りリンクサブフレームの持続時間が3ミリ秒である場合、上りリンクサブフレームは１０個の第１のモードのフレームフォーマットのシンボルを含み、１０個の第１のモードのフレームフォーマットのシンボルの持続時間は４０個の第２のモードのフレームフォーマットのシンボルの持続時間に等しく、3ミリ秒未満であり、第２のモードのフレームフォーマットのシンボルの持続時間は、通常サイクリックプレフィクスを含む各SC-FDMAシンボルの持続時間である。スペシャルサブフレームに含まれるDwPTS及びGPが表２におけるスペシャルサブフレームの構成５、６、７、８又は９を満たすときに、最初の5ミリ秒の時間長内の上りリンクサブフレームの持続時間が(T1+3)ミリ秒である場合、上りリンクサブフレームは１１個の第１のモードのフレームフォーマットのシンボルを含み、１１個の第１のモードのフレームフォーマットのシンボルの持続時間は４４個の第２のモードのフレームフォーマットのシンボルの持続時間に等しく、(T1+3)ミリ秒に等しく、T1は1ミリ秒-DwPTSにより占有される時間-GPにより占有される時間であり、DwPTSにより占有される時間及びGPにより占有される時間はミリ秒の単位であり、第２のモードのフレームフォーマットのシンボルの持続時間は、通常サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明では説明しない。
【００３９】
通信システムが上りリンクにおいて拡張CPを使用するときに、最初の5ミリ秒の時間長内の上りリンクサブフレームの持続時間が3ミリ秒である場合、上りリンクサブフレームは９個の第１のモードのフレームフォーマットのシンボルを含み、９個の第１のモードのフレームフォーマットのシンボルの持続時間は３６個の第２のモードのフレームフォーマットのシンボルの持続時間に等しく、3ミリ秒に等しく、第２のモードのフレームフォーマットのシンボルの持続時間は、拡張サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明では説明しない。
【００４０】
任意選択で、通信システムが上りリンクにおいて通常CPを使用し、最初の5ミリ秒の時間長内の上りリンクサブフレームの持続時間が2ミリ秒であるときに、上りリンクサブフレームは７個の第１のモードのフレームフォーマットのシンボルを含み、７個の第１のモードのフレームフォーマットのシンボルの持続時間は２８個の第２のモードのフレームフォーマットのシンボルの持続時間に等しく、2ミリ秒未満であり、第２のモードのフレームフォーマットのシンボルの持続時間は、通常サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明では説明しない。
【００４１】
通信システムが上りリンクにおいて拡張CPを使用し、最初の5ミリ秒の時間長内の上りリンクサブフレームの持続時間が2ミリ秒であるときに、上りリンクサブフレームは６個の第１のモードのフレームフォーマットのシンボルを含み、６個の第１のモードのフレームフォーマットのシンボルの持続時間は２４個の第２のモードのフレームフォーマットのシンボルの持続時間に等しく、2ミリ秒に等しく、第２のモードのフレームフォーマットのシンボルの持続時間は、拡張サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明では説明しない。
【００４２】
任意選択で、通信システムが上りリンクにおいて通常CPを使用するときに、最初の5ミリ秒の時間長内の上りリンクサブフレームの持続時間が1ミリ秒である場合、上りリンクサブフレームは３個の第１のモードのフレームフォーマットのシンボルを含み、３個の第１のモードのフレームフォーマットのシンボルの持続時間は１２個の第２のモードのフレームフォーマットのシンボルの持続時間に等しく、1ミリ秒未満である。スペシャルサブフレームに含まれるDwPTS及びGPが表２におけるスペシャルサブフレームの構成５、６、７、８又は９を満たすときに、最初の5ミリ秒の時間長内の上りリンクサブフレームの持続時間が(T2+1)ミリ秒である場合、上りリンクサブフレームは４個の第１のモードのフレームフォーマットのシンボルを含み、４個の第１のモードのフレームフォーマットのシンボルの持続時間は１６個の第２のモードのフレームフォーマットのシンボルの持続時間に等しく、(T2+1)ミリ秒に等しく、T2は1ミリ秒-DwPTSにより占有される時間-GPにより占有される時間であり、DwPTSにより占有される時間及びGPにより占有される時間はミリ秒の単位であり、第２のモードのフレームフォーマットのシンボルの持続時間は、通常サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明では説明しない。
【００４３】
通信システムが上りリンクにおいて拡張CPを使用するときに、最初の5ミリ秒の時間長内の上りリンクサブフレームの持続時間が1ミリ秒である場合、上りリンクサブフレームは３個の第１のモードのフレームフォーマットのシンボルを含み、３個の第１のモードのフレームフォーマットのシンボルの持続時間は１２個の第２のモードのフレームフォーマットのシンボルの持続時間に等しく、1ミリ秒に等しく、第２のモードのフレームフォーマットのシンボルの持続時間は、拡張サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明では説明しない。
【００４４】
さらに、通信システムがTDDシステムであるときに、5ミリ秒の周期が第１のモードのフレームフォーマットにおける下りリンクから上りリンクへの切り替え点に使用され、5ミリ秒の時間長内に含まれる上りリンクサブフレームの持続時間は、次の5ミリ秒の時間長内に含まれる上りリンクサブフレームの持続時間とは異なり、１つの下りリンクサブフレーム、１つのスペシャルサブフレーム及び少なくとも１つの上りリンクサブフレームが各5ミリ秒の時間長内に含まれ、各上りリンクサブフレームは少なくとも１つの第１のモードのフレームフォーマットのシンボルを含み、各スペシャルサブフレームの時間長は1ミリ秒以下である。通信システムが下りリンクにおいて通常CPを使用するときに、各下りリンクサブフレームの長さは１４個の直交周波数分割多重OFDMシンボルの長さであるか、或いは通信システムが下りリンクにおいて拡張CPを使用するときに、各下りリンクサブフレームの長さは１２個の直交周波数分割多重OFDMシンボルの長さである。
【００４５】
通信システムが上りリンクにおいて通常CPを使用するときに、5ミリ秒の時間長内に含まれる上りリンクサブフレームの持続時間が3ミリ秒である場合、上りリンクサブフレームは１０個の第１のモードのフレームフォーマットのシンボルを含み、１０個の第１のモードのフレームフォーマットのシンボルの持続時間は４０個の第２のモードのフレームフォーマットのシンボルの持続時間に等しく、3ミリ秒未満であり、第２のモードのフレームフォーマットのシンボルの持続時間は、通常サイクリックプレフィクスを含む各SC-FDMAシンボルの持続時間である。スペシャルサブフレームに含まれるDwPTS及びGPが表２におけるスペシャルサブフレームの構成５、６、７、８又は９を満たすときに、5ミリ秒の時間長内に含まれる上りリンクサブフレームの持続時間が(T1+3)ミリ秒である場合、上りリンクサブフレームは１１個の第１のモードのフレームフォーマットのシンボルを含み、１１個の第１のモードのフレームフォーマットのシンボルの持続時間は４４個の第２のモードのフレームフォーマットのシンボルの持続時間に等しく、第２のモードのフレームフォーマットのシンボルの持続時間は、通常サイクリックプレフィクスを含む各SC-FDMAシンボルの持続時間である。次の5ミリ秒の時間長内に含まれる上りリンクサブフレームの持続時間が2ミリ秒である場合、上りリンクサブフレームは７個の第１のモードのフレームフォーマットのシンボルを含み、７個の第１のモードのフレームフォーマットのシンボルの持続時間は２８個の第２のモードのフレームフォーマットのシンボルの持続時間に等しく、2ミリ秒に等しく、第２のモードのフレームフォーマットのシンボルの持続時間は通常サイクリックプレフィクスを含む各SC-FDMAシンボルの持続時間である。
【００４６】
さらに、通信システムが上りリンクにおいて拡張CPを使用するときに、5ミリ秒の時間長内に含まれる上りリンクサブフレームの持続時間が3ミリ秒である場合、上りリンクサブフレームは９個の第１のモードのフレームフォーマットのシンボルを含み、９個の第１のモードのフレームフォーマットのシンボルの持続時間は３６個の第２のモードのフレームフォーマットのシンボルの持続時間に等しく、3ミリ秒に等しく、第２のモードのフレームフォーマットのシンボルの持続時間は、拡張サイクリックプレフィクスを含む各SC-FDMAシンボルの持続時間である。次の5ミリ秒の時間長内に含まれる上りリンクサブフレームの持続時間が2ミリ秒である場合、上りリンクサブフレームは６個の第１のモードのフレームフォーマットのシンボルを含み、６個の第１のモードのフレームフォーマットのシンボルの持続時間は２４個の第２のモードのフレームフォーマットのシンボルの持続時間に等しく、2ミリ秒に等しく、第２のモードのフレームフォーマットのシンボルの持続時間は拡張サイクリックプレフィクスを含む各SC-FDMAシンボルの持続時間である。
【００４７】
任意選択で、上りリンク復調参照信号は、少なくとも１つの上りリンクサブフレーム内の少なくとも１つの第１のモードのフレームフォーマットのシンボル上で送信される。
【００４８】
任意選択で、1ミリ秒の時間長内に含まれる第１のモードのフレームフォーマットのシンボルのうち最後のシンボルが1ミリ秒の時間長内の最後の第２のモードのフレームフォーマットのシンボルと部分的に或いは完全に重複するときに、上りリンク信号又はチャネルは、1ミリ秒の時間長内の最後の第１のモードのフレームフォーマットのシンボル上で送信されない。第１のモードのフレームフォーマットのシンボルが通常CPを含むシンボルであるときに、第２のモードのフレームフォーマットのシンボルは、通常CPを含むSC-FDMAシンボルである。第１のモードのフレームフォーマットのシンボルが拡張CPを含むシンボルであるときに、第２のモードのフレームフォーマットのシンボルは、拡張CPを含むSC-FDMAシンボルである。第１のモードのフレームフォーマットのシンボルがCPを含まないシンボルであるときに、第２のモードのフレームフォーマットのシンボルは、CPを含まないSC-FDMAシンボルである。
【００４９】
任意選択で、第２のモードのフレームフォーマットは、TDDシステムに適用可能なフレーム構造タイプ２を含み、フレーム構造タイプ２は、１つのスペシャルサブフレームと、複数の下りリンクサブフレームと、複数の上りリンクサブフレームとを含み、スペシャルサブフレーム、各下りリンクサブフレーム及び各上りリンクサブフレームのそれぞれの持続時間は1ミリ秒であり、スペシャルサブフレームは、下りリンクパイロットタイムスロットDwPTSと、上りリンクパイロットタイムスロットUpPTSと、ガード期間GPとを含む。
【００５０】
任意選択で、第１のモードのフレームフォーマットがUpPTSを含み、第１のモードのフレームフォーマットにおけるUpPTSの長さがフレーム構造タイプ２におけるUpPTSの長さ以下であるときに、上りリンク信号又はチャネルは、第１のモードのフレームフォーマットに含まれるUpPTS内で送信されない。
【００５１】
任意選択で、第２のモードのフレームフォーマットが利用不可能な上りリンクサブフレームを含むときに、上りリンク信号又はチャネルは、第１のモードのフレームフォーマットにおける利用不可能な上りリンクサブフレームの持続時間内の対応する第１のモードのフレームフォーマットのシンボル上で送信されない。利用不可能な上りリンクサブフレームは１つ以上の上りリンクサブフレームであり、各上りリンクサブフレームの持続時間は1ミリ秒である。利用不可能な上りリンクサブフレームは、利用不可能な上りリンクサブフレーム内の全部又は一部の周波数リソースが予約リソースであることを意味する。予約リソースは、特別な端末の間、或いは特別な通信システムによりサポートされる端末及び基地局の間、或いは特別な通信システムによりサポートされる端末の間の通信に使用される。予約リソースは、特別でない端末の間、或いは特別でない通信システムによりサポートされる端末及び基地局の間、或いは特別でない通信システムによりサポートされる端末の間の通信には使用できない。例えば、LTEシステムにおける利用不可能な上りリンクサブフレーム内の全部又は一部の周波数リソースは予約リソースであり、このような特別なシステムにおけるデバイスの間の通信に使用される。予約リソースは、利用不可能な上りリンクサブフレーム内で一般のLTE端末により使用できない。
【００５２】
第１のタイプの端末は、システム情報を受信することにより、利用不可能な上りリンクサブフレーム内にある上りリンクサブフレームを含むか、或いは予約リソースである利用不可能な上りリンクサブフレーム内の周波数ドメインリソース等を更に含む、利用不可能な上りリンクサブフレームについての情報を習得する。
【００５３】
第３の態様によれば、基地局が提供され、基地局は、プロセッサと、メモリと、システムバスと、通信インタフェースとを含む。
【００５４】
メモリは、コンピュータ実行可能命令を記憶するように構成され、プロセッサは、システムバスを使用することによりメモリに接続され、基地局が動作するときに、プロセッサは、メモリに記憶されたコンピュータ実行可能命令を実行し、それにより、基地局は、第１の態様又は第１の態様の第１及び第２の可能な実現方式のうちいずれか１つによるスケジューリング方法を実行する。
【００５５】
第４の態様によれば、端末が提供され、端末は、プロセッサと、メモリと、システムバスと、通信インタフェースとを含む。
【００５６】
メモリは、コンピュータ実行可能命令を記憶するように構成され、プロセッサは、システムバスを使用することによりメモリに接続され、基地局が動作するときに、プロセッサは、メモリに記憶されたコンピュータ実行可能命令を実行し、それにより、端末は、第２の態様又は第２の態様の第１〜第４の可能な実現方式のうちいずれか１つによるデータ伝送方法を実行する。
【００５７】
本発明の実施例において提供されるスケジューリング方法、データ伝送方法及び装置によれば、基地局は、下りリンク制御情報DCIを第１のタイプの端末に送信する。DCIは、第１のモードのフレームフォーマットを使用することにより上りリンクデータを送信するように第１のタイプの端末に対して命令するために使用されるスケジューリング情報を含み、第１のモードのフレームフォーマットは、少なくとも１つの上りリンクサブフレームを含み、各上りリンクサブフレームは、少なくとも１つの第１のモードのフレームフォーマットのシンボルを含み、第１のモードのフレームフォーマットのシンボルの持続時間は、第２のモードのフレームフォーマットのシンボルの持続時間の少なくとも４倍である。第２のモードのフレームフォーマットのシンボルは、LTEシステムにおけるSC-FDMAシンボルである。基地局は、下りリンク制御情報DCIを第２のタイプの端末又は第３のタイプの端末に送信する。DCIは、第２のモードのフレームフォーマットを使用することにより上りリンクデータを送信するように第２のタイプの端末又は第３のタイプの端末に対して命令するために使用されるスケジューリング情報を含む。このように、LTEシステムにおける基地局は既存のLTE端末をサポートでき、また、FDDシステム及びTDDシステムにおいて新たに利用可能である第１のタイプの端末、第２のタイプの端末及び第３のタイプの端末もサポートできる。これは、時間リソース及び周波数リソースを節約し、また、通信システムの利用率及び基地局の利用率も改善する。
【図面の簡単な説明】
【００５８】
本発明の実施例における技術的解決策をより明確に説明するために、以下に、実施例又は従来技術を説明するために必要な添付図面を簡単に説明する。明らかに、以下の説明における添付図面は、本発明の単にいくつかの実施例を示しているに過ぎず、当業者は、創造的取り組みなしに、依然としてこれらの添付図面から他の図面を導き得る。
【図１】本発明の実施例による通信システムのシステムアーキテクチャ図である。
【図２】本発明の実施例によるスケジューリング方法の概略フローチャートである。
【図３】本発明の実施例による第２のモードのフレーム構造の概略構造図である。
【図４】本発明の実施例による第１のタイプの第１のモードのフレーム構造の概略構造図である。
【図５】本発明の実施例による第２のタイプの第１のモードのフレーム構造の概略構造図である。
【図６】本発明の実施例による第３のタイプの第１のモードのフレーム構造の概略構造図である。
【図７】本発明の実施例による第４のタイプの第１のモードのフレーム構造の概略構造図である。
【図８】本発明の実施例による他のスケジューリング方法の概略フローチャートである。
【図９】本発明の実施例による他の第２のモードのフレーム構造の概略構造図である。
【図１０】本発明の実施例による第５のタイプの第１のモードのフレーム構造の概略構造図である。
【図１１】本発明の実施例による第６のタイプの第１のモードのフレーム構造の概略構造図である。
【図１２】本発明の実施例による第７のタイプの第１のモードのフレーム構造の概略構造図である。
【図１３】本発明の実施例による第８のタイプの第１のモードのフレーム構造の概略構造図である。
【図１４】本発明の実施例による第９のタイプの第１のモードのフレーム構造の概略構造図である。
【図１５】本発明の実施例による第１０のタイプの第１のモードのフレーム構造の概略構造図である。
【図１６】本発明の実施例による第１１のタイプの第１のモードのフレーム構造の概略構造図である。
【図１７】本発明の実施例による第１２のタイプの第１のモードのフレーム構造の概略構造図である。
【図１８】本発明の実施例による第１３のタイプの第１のモードのフレーム構造の概略構造図である。
【図１９】本発明の実施例による第１４のタイプの第１のモードのフレーム構造の概略構造図である。
【図２０】本発明の実施例による基地局の概略構造図である。
【図２１】本発明の実施例による端末の概略構造図である。
【発明を実施するための形態】
【００５９】
以下に、本発明の実施例における添付図面を参照して、本発明の実施例における技術的解決策を明確且つ完全に説明する。明らかに、説明する実施例は、本発明の実施例の全部ではなく、単なる一部である。創造的取り組みなしに本発明の実施例に基づいて当業者により取得される全ての他の実施例は、本発明の保護範囲内に入るものとする。
【００６０】
本発明について説明する前に、まず、本発明におけるユーザ端末タイプ及び適用シナリオについて簡単に説明する。
【００６１】
本発明の実施例におけるユーザ端末タイプは、既存のLTE端末と、新たに利用可能な端末とを主に含む。既存のLTE端末は、上りリンク方式においてSC-FDMAを用いて15kHzのサブキャリア間隔で直交サブキャリアを送信できる。最小スケジューリング粒度は、１２個の直交サブキャリアを含む１つのPRB、すなわち、180kHzである。単一のサブキャリア又は複数のサブキャリアの粒度のスケジューリングはサポートされない。主に３つのタイプの新たに利用可能な端末が存在する。第１のタイプの端末は、上りリンク方式においてSC-FDMAを用いて3.75kHzの直交サブキャリア間隔で単一のサブキャリアを送信でき、或いは上りリンク方式においてFDMAを用いて3.75kHzのサブチャネル帯域幅で単一のサブチャネルを送信できる。第２のタイプの端末は、上りリンク方式においてSC-FDMAを用いて15kHzの直交サブキャリア間隔で単一のサブキャリアを送信できる。第３のタイプの端末は、上りリンク方式においてSC-FDMAを用いて15kHzの直交サブキャリア間隔で複数のサブキャリアを送信できる。明らかに、３つのタイプの端末は、１つのタイプの端末でもよい。このタイプの端末は、３つのタイプの端末の１つ又は２つ又は３つの機能を有する。さらに、３つのタイプの端末の全ては、下りリンクにおいて直交周波数分割多元接続OFDMA技術をサポートし、サブキャリア間隔は15kHzである。３つのタイプの端末は、３つの異なるタイプの端末でもよく、或いは異なる端末の１つ又は２つ又は３つの能力を有する１つのタイプの端末でもよい。説明を簡単にするために、端末は、併せて３つのタイプの端末と呼ばれる。端末タイプ及び端末能力は、本発明では具体的に限定されない。さらに、３つのタイプの端末は、モノのインターネット通信に主に使用される。したがって、３つのタイプの新たに利用可能な端末をサポートするシステムは、狭帯域のモノのインターネットNBIOTシステムと呼ばれてもよい。
【００６２】
本発明の実施例における適用シナリオは、使用される異なる周波数リソースに従って実質的に３つのタイプに分類できる。第１のシナリオ、すなわち、独立配置のシナリオでは、３つのタイプの新たに利用可能な端末は、専用周波数リソースネットワーキングにおいてサポートされ、使用される周波数リソースは、GSMシステムから再利用された周波数帯域内、又は3Gシステム若しくはLTEシステムにおいて使用される周波数帯域内のリソースでもよい。独立配置のシナリオでは、システムは、３つのタイプの新たに利用可能な端末のうち１つ以上のみをサポートし、他のタイプのLTE端末は存在しない。第２のシナリオ、すなわち、ガード間隔配置のシナリオでは、システムにおいて使用される周波数リソースは、LTEシステムにおいて使用される周波数帯域の間のガード間隔に位置する。第３のシナリオ、すなわち、帯域内配置のシナリオでは、使用される周波数リソースは、LTEシステムにおける標準的なサブキャリア、例えば、10MHz又は20MHz帯域幅に位置し、すなわち、一般的なLTE端末及び３つのタイプの新たに利用可能な端末のうち１つ以上は、LTEシステムにおける１つの標準的なキャリア内で全てサポートされる。したがって、一般的なLTE端末の通常の通信が影響されないように、第３のシナリオにおけるNBIOTシステムにおいて下りリンクチャネルを送信するために使用できる最大送信電力は、より小さくなり得る。
【００６３】
本発明の実施例において使用される通信システムのシステムアーキテクチャが図１に示される。システムアーキテクチャ図は、基地局101と、ユーザ端末102と、通信チャネル103とを含む。
【００６４】
基地局101は、共有チャネルをスケジューリングする機能を有し、すなわち、パケットデータをユーザ端末102に送信した履歴に基づいて、ユーザ端末102のためのスケジューリングを実行する。スケジューリングは、複数のユーザ端末102が伝送リソースを共有するときに、物理レイヤリソースを有効に割り当てて統計多重利得を取得するための機構が必要になることを意味する。
【００６５】
複数のユーザ端末102が存在してもよい。さらに、ユーザ端末102は、ユーザ端末102と基地局101との間に確立された通信チャネル103を使用することにより、データを送信及び受信する機能を有する。ユーザ端末102は、スケジューリング制御チャネルを使用することにより送信される情報に従って、共有チャネルに対する送信又は受信処理を実行する。さらに、ユーザ端末102は、移動局、移動電話、コンピュータ、ポータブル端末等でもよい。ユーザ端末102は、同じタイプでもよく、或いは異なるタイプでもよい。
【００６６】
データは、通信チャネル103を使用することにより基地局101とユーザ端末102との間で受信及び送信される。通信チャネル103は、無線通信チャネルでもよい。無線通信チャネルは、少なくとも共有チャネル及びスケジューリング制御チャネルを含む。共有チャネルは、パケットを送信及び受信するために複数のユーザ端末102の間で共有される。スケジューリング制御チャネルは、共有チャネルの割り当て、対応するスケジューリング結果等を送信するために使用される。
【００６７】
図２は、本発明の実施例によるスケジューリング方法の概略フローチャートである。方法は通信システムに適用される。図２を参照すると、方法は以下のいくつかのステップを含む。
【００６８】
ステップ201.基地局は、下りリンク制御情報DCIを第１のタイプの端末に送信し、DCIは、第１のモードのフレームフォーマットを使用することにより上りリンクデータを送信するように第１のタイプの端末に対して命令するために使用されるスケジューリング情報を含む。
【００６９】
第１のモードのフレームフォーマットは、少なくとも１つの上りリンクサブフレームを含み、各上りリンクサブフレームは、少なくとも１つの第１のモードのフレームフォーマットのシンボルを含む。第１のモードのフレームフォーマットのシンボルの持続時間は、第２のモードのフレームフォーマットのシンボルの持続時間の少なくとも４倍であり、第２のモードのフレームフォーマットのシンボルは、LTEシステムにおけるシングルキャリア周波数分割多元接続SC-FDMAシンボルである。
【００７０】
シングルキャリア周波数分割多元接続SC-FDMAが上りリンクにおいて使用されるときに、第１のモードのフレームフォーマットのシンボルはSC-FDMAシンボルでもよく、或いはFDMA周波数分割多元接続が上りリンクにおいて使用されるときに、第１のモードのフレームフォーマットのシンボルはFDMAシンボルでもよい点に留意すべきである。これは、本発明のこの実施例では具体的に限定されない。さらに、第１のモードのフレームフォーマットのシンボルは、サイクリックプレフィクスCPが追加されたシンボルでもよく、或いはCPが追加されていないシンボルでもよい。第２のモードのフレームフォーマットのシンボルは、サイクリックプレフィクスCPが追加されたシンボルでもよく、或いはCPが追加されていないシンボルでもよい。
【００７１】
LTEシステムの上りリンク構成が通常サイクリックプレフィクスCPであるときに、各上りリンクサブフレームは1ミリ秒の持続時間を有し、１４個のSC-FDMAシンボルを含む。したがって、LTEシステムにおける各SC-FDMAシンボルは、通常サイクリックプレフィクスを含み、平均で1/14ミリ秒の持続時間を有する。LTEシステムにおける各上りリンクサブフレームに含まれるSC-FDMAシンボルの持続時間は異なってもよい点に留意すべきである。例えば、各上りリンクサブフレームに含まれる１４個のSC-FDMAシンボルの中で、２つのロングSC-FDMAシンボルが存在し、各ロングSC-FDMAシンボルの持続時間は71.88ミリ秒であり、１２個のショートSC-FDMAシンボルが存在し、各ショートSC-FDMAシンボルの持続時間は71.35ミリ秒である。LTEシステムの上りリンク構成が拡張サイクリックプレフィクスCPであるときに、各上りリンクサブフレームは1ミリ秒の持続時間を有し、同じ持続時間を有する１２個のSC-FMDAシンボルを含む。したがって、LTEシステムにおける各SC-FDMAシンボルは、拡張サイクリックプレフィクスを含み、1/12ミリ秒の持続時間を有する。LTEシステムにおけるSC-FDMAシンボルがCPを含まないときに、各シンボルの持続時間は66.7ミリ秒である。
【００７２】
上りリンクデータは、物理上りリンク共有チャネルPUSCH上で搬送されてもよく、或いは上りリンクデータを送信するために使用され且つ第１のタイプの端末のために規定された物理チャネル上で搬送されてもよい。
【００７３】
通信システムは、周波数分割複信（Frequency  Division  Duplex,  FDD）システムでもよく、或いは時分割複信（Time  Division  Duplex,  TDD）システムでもよい。したがって、第２のモードのフレームフォーマットは、FDDシステムに適用可能なフレーム構造タイプ１と、TDDシステムに適用可能なフレーム構造タイプ２とを含む。さらに、第１のモードのフレームフォーマットは、FDD通信システムとTDD通信システムとの間で変化する。
【００７４】
FDDシステムに適用可能であり且つ第２のモードのフレームフォーマットに含まれるフレーム構造タイプ１が図３に示されている。フレーム構造タイプ１における無線フレームの時間長は10ミリ秒である。無線フレームは２０個のタイムスロットを含み、各タイムスロットは0.5ミリ秒であり、２つのタイムスロットはサブフレームを形成する。すなわち、フレーム構造タイプ１は１０個のサブフレームを含み、各サブフレームの長さは1ミリ秒である。さらに、通常CPが使用されるときに、各サブフレームは１４個のOFDMシンボル又はSC-FDMAシンボルを含み、或いは拡張CPが使用されるときに、各サブフレームは１２個のOFDMシンボル又はSC-FDMAシンボルを含む。
【００７５】
さらに、以下に、FDDシステムにおける対応する第１のモードのフレームフォーマットについて説明する。
【００７６】
具体的には、図４に示すように、通信システムが周波数分割複信FDDシステムであり、上りリンクにおいて通常サイクリックプレフィクスCPを使用するときに、上りリンクサブフレームの持続時間が1ミリ秒である場合、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒未満である。この図において、M1は第１のモードのフレームフォーマットを表し、M1における値0〜2は第１のモードのフレームフォーマットのシンボル番号を表し、M2は第２のモードのフレームフォーマットを表し、M2における値0〜6は第２のモードのフレームフォーマットのシンボル番号を表し、Uは上りリンクフレームを表し、第２のモードのフレームフォーマットのシンボルの持続時間は、通常CPを含む各SC-FDMAシンボルの持続時間である。
【００７７】
図５に示すように、通信システムがFDDシステムであり、上りリンクにおいて拡張CPを使用するときに、上りリンクサブフレームの持続時間が1ミリ秒である場合、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒に等しい。第２のモードのフレームフォーマットのシンボルの持続時間は、拡張CPを含む各SC-FDMAシンボルの持続時間である。
【００７８】
さらに、通信システムがFDDシステムであるときに、第１のモードのフレームフォーマットの時間長又は第１のモードのフレームフォーマットの無線フレームの時間長はN*10ミリ秒であり、Nは1であるか或いは0より大きい偶数であり、第１のモードのフレームフォーマットにおける上りリンクサブフレームはMミリ秒であり、Mは0より大きい偶数であり、M<=N*10である。
【００７９】
図６に示すように、第１のモードのフレームフォーマットにおける上りリンクサブフレームの持続時間が2ミリ秒であり、通信システムが上りリンクにおいて通常CPを使用するときに、上りリンクサブフレームは７個の第１のモードのフレームフォーマットのシンボルを含み、７個の第１のモードのフレームフォーマットのシンボルの持続時間は２８個の第２のモードのフレームフォーマットのシンボルの持続時間に等しく、2ミリ秒に等しい。すなわち、通信システムが上りリンクにおいて通常CPを使用するときに、７個の第１のモードのフレームフォーマットのシンボルの持続時間は２８個の第２のモードのフレームフォーマットのシンボルの持続時間に等しく、第２のモードのフレームフォーマットのシンボルの持続時間は、通常CPを含む各SC-FDMAシンボルの持続時間である。
【００８０】
図７に示すように、第１のモードのフレームフォーマットにおける上りリンクサブフレームの持続時間が2ミリ秒であり、通信システムが上りリンクにおいて拡張CPを使用するときに、上りリンクサブフレームは６個の第１のモードのフレームフォーマットのシンボルを含み、６個の第１のモードのフレームフォーマットのシンボルの持続時間は２４個の第２のモードのフレームフォーマットのシンボルの持続時間に等しく、2ミリ秒に等しい。すなわち、通信システムが上りリンクにおいて拡張CPを使用するときに、６個の第１のモードのフレームフォーマットのシンボルの持続時間は２４個の第２のモードのフレームフォーマットのシンボルの持続時間に等しく、第２のモードのフレームフォーマットのシンボルの持続時間は、拡張CPを含む各SC-FDMAシンボルの持続時間である。
【００８１】
さらに、上りリンク復調参照信号は、第１のモードのフレームフォーマットに含まれる少なくとも１つの上りリンクサブフレーム内の少なくとも１つの第１のモードのフレームフォーマットのシンボル上で送信される。上りリンク復調参照信号は、上りリンクデータ又は上りリンク制御情報を復調するのを助けるために使用される。
【００８２】
すなわち、第１のモードのフレームフォーマットが１つの上りリンクサブフレームを含み、上りリンクサブフレームが少なくとも１つの第１のモードのフレームフォーマットのシンボルを含むときに、上りリンク復調参照信号は、少なくとも１つの第１のモードのフレームフォーマットのシンボルのうち１つ以上の上で送信されてもよく、或いは第１のモードのフレームフォーマットが複数の上りリンクサブフレーム、すなわち、２つ以上の上りリンクサブフレームを含むときに、上りリンク復調参照信号は、複数の上りリンクサブフレームのうちいずれか１つ以上で送信され、上りリンクサブフレームに含まれる少なくとも１つの第１のモードのフレームフォーマットのシンボルのうち１つ以上の上で送信されてもよい。
【００８３】
例えば、第１のモードのフレームフォーマットが１つの上りリンクサブフレームを含み、上りリンクサブフレームが３つの第１のモードのフレームフォーマットのシンボルを含むときに、上りリンク復調参照信号は、３つの第１のモードのフレームフォーマットのシンボルのいずれか１つ又は２つの上で送信されてもよく、或いは３つの第１のモードのフレームフォーマットのシンボルの全ての上で送信されてもよい。第１のモードのフレームフォーマットが２つの上りリンクサブフレームを含み、各上りリンクサブフレームが３つの第１のモードのフレームフォーマットのシンボルを含むときに、上りリンク復調参照信号は、２つの上りリンクサブフレームの一方で送信されてもよく、或いは上りリンクサブフレームの双方で送信されてもよく、２つの上りリンクサブフレームに含まれる第１のモードのフレームフォーマットのシンボルのうちいずれか１つ以上の上で送信されてもよい。これは、本発明のこの実施例では限定されない。
【００８４】
任意選択で、1ミリ秒の時間長内に含まれる第１のモードのフレームフォーマットのシンボルのうち最後の第１のモードのフレームフォーマットのシンボルが1ミリ秒の時間長内の最後の第２のモードのフレームフォーマットのシンボルと部分的に或いは完全に重複するときに、上りリンク信号又はチャネルは、1ミリ秒の時間長内の最後の第１のモードのフレームフォーマットのシンボル上で送信されない。第１のモードのフレームフォーマットのシンボルが通常CPを含むシンボルであるときに、第２のモードのフレームフォーマットのシンボルは、通常CPを含むSC-FDMAシンボルである。第１のモードのフレームフォーマットのシンボルが拡張CPを含むシンボルであるときに、第２のモードのフレームフォーマットのシンボルは、拡張CPを含むSC-FDMAシンボルである。第１のモードのフレームフォーマットのシンボルがCPを含まないシンボルであるときに、第２のモードのフレームフォーマットのシンボルは、CPを含まないSC-FDMAシンボルである。
【００８５】
すなわち、第１のモードのフレームフォーマットのシンボルの境界が第２のモードのフレームフォーマットのシンボルの境界と整合しているときに、第３のシナリオ、すなわち、帯域内配置のシナリオでは、既存のLTE端末によるサウンディング参照信号（Sounding  Reference  Signal,  SRS）の送信が影響されないように、1ミリ秒の時間長内に含まれる第１のモードのフレームフォーマットのシンボルのうち最後の第１のモードのフレームフォーマットのシンボルが1ミリ秒の時間長内の最後の第２のモードのフレームフォーマットのシンボルと部分的に或いは完全に重複するときに、上りリンク信号又はチャネルは、1ミリ秒の時間長内の最後の第１のモードのフレームフォーマットのシンボル上で送信されない。任意選択で、独立配置の第１のシナリオ及びガード間隔配置の第２のシナリオでは、1ミリ秒の時間長内に含まれる第１のモードのフレームフォーマットのシンボルのうち最後の第１のモードのフレームフォーマットのシンボルが1ミリ秒の時間長内の最後の第２のモードのフレームフォーマットのシンボルと部分的に或いは完全に重複するときに、上りリンク信号又はチャネルは、1ミリ秒内の最後の第１のモードのフレームフォーマットのシンボル上で送信されない。
【００８６】
例えば、図５に示す第１のモードのフレームフォーマットにおいて、３つの第１のモードのフレームフォーマットのシンボルがシンボル0、シンボル1及びシンボル2である場合、上りリンク信号又はチャネルは、シンボル2上で送信されない。図６に示す第１のモードのフレームフォーマットにおいて、７個の第１のモードのフレームフォーマットのシンボルがシンボル0、シンボル1、…、シンボル5及びシンボル6である場合、上りリンク信号又はチャネルは、シンボル3及びシンボル6上で送信されない。図７に示す第１のモードのフレームフォーマットにおいて、６個の第１のモードのフレームフォーマットのシンボルがシンボル0、シンボル1、…、シンボル4及びシンボル5である場合、上りリンク信号又はチャネルは、シンボル2及びシンボル5上で送信されない。
【００８７】
さらに、第２のモードのフレームフォーマットが利用不可能な上りリンクサブフレームを含むときに、上りリンク信号又はチャネルは、第２のモードのフレームフォーマットにおける利用不可能な上りリンクサブフレームの持続時間内の対応する第１のモードのフレームフォーマットのシンボル上で送信されない。利用不可能な上りリンクサブフレームは１つ以上の上りリンクサブフレームである。各上りリンクサブフレームの持続時間は1ミリ秒である。利用不可能な上りリンクサブフレームは、利用不可能な上りリンクサブフレーム内の全部又は一部の周波数リソースが予約リソースであることを意味する。予約リソースは、特別な端末の間、或いは特別な通信システムによりサポートされる端末及び基地局の間、或いは特別な通信システムによりサポートされる端末の間の通信に使用される。予約リソースは、特別でない端末の間、或いは特別でない通信システムによりサポートされる端末及び基地局の間、或いは特別でない通信システムによりサポートされる端末の間の通信には使用できない。例えば、LTEシステムにおける利用不可能な上りリンクサブフレーム内の全部又は一部の周波数リソースは予約リソースであり、このような特別なシステムにおけるデバイスの間の通信に使用され、利用不可能な上りリンクサブフレーム内の予約リソースは、一般のLTE端末により使用できない。
【００８８】
第１のタイプの端末は、システム情報を受信することにより、利用不可能な上りリンクサブフレーム内にある上りリンクサブフレームを含むか、或いは予約リソースである利用不可能な上りリンクサブフレーム内の周波数ドメインリソース等を更に含む、利用不可能な上りリンクサブフレームについての情報を習得する。
【００８９】
すなわち、第３のシナリオ、すなわち、帯域内配置のシナリオでは、第２のモードのフレームフォーマットが利用不可能な上りリンクサブフレームを含む場合、上りリンク信号又はチャネルは、第２のモードのフレームフォーマットにおける利用不可能な上りリンクサブフレームの持続時間内の対応する第１のモードのフレームフォーマットのシンボル上で送信されないか、或いは第２のモードのフレームフォーマットにおける利用不可能な上りリンクサブフレームの持続時間内の対応する第１のモードのフレームフォーマットのシンボル上で送信されるべき上りリンク信号又はチャネルの送信は、第２のモードのフレームフォーマットにおける利用可能な上りリンクサブフレームの持続時間内の対応する第１のモードのフレームフォーマットのシンボルまで延期される。利用可能な上りリンクサブフレームは、利用不可能な上りリンクサブフレーム以外の第２のモードのフレームフォーマットにおける上りリンクサブフレームである。
【００９０】
さらに、スケジューリング情報は、第１のモードのフレームフォーマットに対応する物理リソース情報を含む。物理リソース情報は時間リソース及び周波数リソースを含む。時間リソースは少なくとも１つの上りリンクサブフレームを含む。周波数リソースは１つのサブキャリアを含み、サブキャリア間隔は3.75kHzである。
【００９１】
スケジューリング情報に含まれる物理リソース情報内の時間リソースはスケジューリング長と呼ばれてもよい。最小スケジューリング長は、３つの第１のモードのフレームフォーマットのシンボルの長さである。実際のスケジューリング長は、基地局と端末との間の距離、又は端末がセル内で満たす必要があるカバレッジ要件に従ってもよい。基地局は少なくとも１つのスケジューリング長をサポートしてもよい。例えば、スケジューリング長A1について、NA1個の連続する上りリンクサブフレームの中で、LA1個の上りリンクサブフレームの最大カバレッジがセル内でサポートされ、スケジューリング長A2について、NA2個の連続する上りリンクサブフレームの中で、LA2個の上りリンクサブフレームの最大カバレッジがセル内でサポートされ、以下同様である。LA2個の上りリンクサブフレームのカバレッジエリアはLA1個の上りリンクサブフレームのもの以上であり、NA1及びNA2は正の整数であり、NA2はNA1以上であり、予め設定されてもよい。これは、本発明のこの実施例では具体的に限定されない。さらに、スケジューリング長毎に、スケジューリング情報に含まれる物理リソース情報内の周波数リソースは１つ以上のサブキャリアでもよい。含まれるサブキャリア数は予め設定されてもよい。これは、本発明のこの実施例では具体的に限定されない。
【００９２】
ステップ202.基地局は、下りリンク制御情報DCIを第２のタイプの端末又は第３のタイプの端末に送信し、DCIは、第２のモードのフレームフォーマットを使用することにより上りリンクデータを送信するように第２のタイプの端末又は第３のタイプの端末に対して命令するために使用されるスケジューリング情報を含む。
【００９３】
第２のモードのフレームフォーマットは、FDDシステムに適用可能なフレーム構造タイプ１と、TDDシステムに適用可能なフレーム構造タイプ２とを含む。通信システムがFDDシステムであるときに、第２のモードのフレームフォーマットは、FDDシステムに適用可能なフレーム構造タイプ１であり、フレーム構造タイプ１は、10ミリ秒の時間長を有し且つ２０個のタイムスロットを含む無線フレームである。各タイムスロットは0.5ミリ秒であり、２つのタイムスロットは１つのサブフレームを形成する。すなわち、第２のモードのフレームフォーマットは１０個のサブフレームを含み、各サブフレームの長さは1ミリ秒であり、第２のモードのフレームフォーマットに対応する物理リソース情報内のサブキャリアの間の間隔は15kHzである。
【００９４】
例えば、下りリンク制御情報DCIは、上りリンクデータを送信するように端末に対して命令するために使用されるスケジューリング情報を含み、周波数ドメインにおいて使用されるサブキャリア数、使用される変調及び符号化方式若しくは変調方式、又は搬送されるトランスポートブロックに含まれるビット数のうち少なくとも１つを含む。
【００９５】
通信システムがFDDシステムであるときに、具体的な第２のモードのフレームフォーマットについては、関係する技術を参照する点に留意すべきである。詳細は本発明のこの実施例において説明しない。
【００９６】
ステップ203.端末は、基地局により送信された下りリンク制御情報DCIを受信し、下りリンク制御情報に従って上りリンクデータを送信する。
【００９７】
具体的には、端末が第１のタイプの端末であるときに、DCIは、第１のモードのフレームフォーマットを使用することにより上りリンクデータを送信するように第１のタイプの端末に対して命令するために使用されるスケジューリング情報を含む。DCIを受信した後に、第１のタイプの端末は、第１のモードのフレームフォーマットにおける上りリンクデータを基地局に送信する。端末が第２のタイプの端末又は第３のタイプの端末であるときに、DCIは、第２のモードのフレームフォーマットを使用することにより上りリンクデータを送信するように第２のタイプの端末又は第３のタイプの端末に対して命令するために使用されるスケジューリング情報を含む。スケジューリング情報を受信した後に、第２のタイプの端末又は第３のタイプの端末は、第２のモードのフレームフォーマットにおける上りリンクデータを基地局に送信する。
【００９８】
端末が第２のタイプの端末又は第３のタイプの端末であるときに、スケジューリング情報は、第２のモードのフレームフォーマットに対応する物理リソース情報を含む点に留意すべきである。物理リソース情報は時間リソース及び周波数リソースを含む。時間リソースは少なくとも１つの上りリンクサブフレームを含む。周波数リソースは１つのサブキャリアを含み、サブキャリア間隔は15kHzである。
【００９９】
スケジューリング情報に含まれる物理リソース情報内の時間リソースはスケジューリング長と呼ばれてもよい。最小スケジューリング長は、１つの第２のモードのフレームフォーマットにおける上りリンクサブフレームの長さである。実際のスケジューリング長は、基地局と端末との間の距離、又は端末がセル内で満たす必要があるカバレッジ要件に従ってもよい。基地局は少なくとも１つのスケジューリング長をサポートしてもよい。例えば、スケジューリング長B1について、NB1個の連続する上りリンクサブフレームの中で、LB1個の上りリンクサブフレームの最大カバレッジがセル内でサポートされ、スケジューリング長B2について、NB2個の連続する上りリンクサブフレームの中で、LB2個の上りリンクサブフレームの最大カバレッジがセル内でサポートされ、以下同様である。LB2個の上りリンクサブフレームのカバレッジエリアはLB1個の上りリンクサブフレームのもの以上であり、NB1及びNB2は正の整数であり、NB2はNB1以上であり、予め設定されてもよい。これは、本発明のこの実施例では具体的に限定されない。さらに、スケジューリング長毎に、端末が第２のタイプの端末であるときに、スケジューリング情報に含まれる物理リソース情報内の周波数リソースは１つのサブキャリアを含む。端末が第３のタイプの端末であるときに、スケジューリング情報に含まれる物理リソース情報内の周波数リソースは少なくとも１つのサブキャリア（最大で１２個のサブキャリア）を含む。
【０１００】
任意選択で、ステップ203の後に、方法は以下のステップを更に含む。
【０１０１】
ステップ204.端末は、上りリンク制御情報又はランダムアクセス情報を基地局に送信する。
【０１０２】
具体的には、端末が第１のタイプの端末であるときに、上りリンク制御情報又はランダムアクセス情報に使用されるフレームフォーマットは第１のモードのフレームフォーマットである。第１のモードのフレームフォーマットは、少なくとも１つの上りリンクサブフレームを含み、各上りリンクサブフレームは、少なくとも１つの第１のモードのフレームフォーマットのシンボルを含む。第１のモードのフレームフォーマットのシンボルの持続時間は、第２のモードのフレームフォーマットのシンボルの持続時間の少なくとも４倍である。第２のモードのフレームフォーマットのシンボルは、LTEシステムにおけるSC-FDMAシンボルである。
【０１０３】
上りリンク制御情報UCIは、端末が下りリンク共有チャネルPDSCH上で搬送された下りリンクデータを正確に受信したか否かを確認するためのACK又はNACKを含むか、或いは下りリンクチャネル品質を反映するために使用されるチャネル状態情報CSIを含む点に留意すべきである。上りリンク制御情報は、物理上りリンク制御チャネルPUCCH上で搬送されるか、或いは上りリンク制御情報を送信するために使用され且つ第１のタイプの端末のために規定された物理チャネル上で搬送される。ランダムアクセス情報はランダムアクセスプリアンブルを含み、物理ランダムアクセスチャネルPRACH上で搬送されるか、或いは上りリンクランダムアクセス情報を送信するために使用され且つ第１のタイプの端末のために規定された物理チャネル上で搬送される。
【０１０４】
端末が第２のタイプの端末又は第３のタイプの端末であるときに、上りリンク制御情報又はランダムアクセス情報に使用されるフレームフォーマットは、第２のモードのフレームフォーマットである。第２のモードのフレームフォーマットは、FDDシステムに適用可能なフレーム構造タイプ１と、TDDシステムに適用可能なフレーム構造タイプ２とを含む。第２のモードのフレームフォーマットは１０個のサブフレームを含み、各サブフレームの長さは1ミリ秒であり、第２のモードのフレームフォーマットに対応する物理リソース情報内のサブキャリアの間の間隔は15kHzである。
【０１０５】
端末が上りリンク制御情報又はランダムアクセス情報を基地局に送信するときに、端末により送信される上りリンク制御情報又はランダムアクセス情報のフレームフォーマットは、第１のモードのフレームフォーマット又は第２のモードのフレームフォーマットでもよく、第１のモードのフレームフォーマット及び第２のモードのフレームフォーマットは、基地局により送信された下りリンク制御情報DCIから取得できるだけでなく、予め設定できる点に留意すべきである。設定した後に、第１のタイプの端末は、上りリンク制御情報又はランダムアクセス情報を送信するために第１のモードのフレームフォーマットを直接使用してもよく、或いは第２のタイプの端末又は第３のタイプの端末は、上りリンク制御情報又はランダムアクセス情報を送信するために第２のモードのフレームフォーマットを直接使用してもよい。これは、本発明のこの実施例では限定されない。
【０１０６】
例えば、第１のモードのフレームフォーマットは予め設定される。すなわち、第１のモードのフレームフォーマットは、通信システムにおいて使用される１つ又はいくつかの指定のキャリア周波数において対応して使用されるか、或いは第１のモードのフレームフォーマットは、指定の下りリンク同期信号系列又は下りリンク同期信号を送信するための指定のフォーマットについて、すなわち、具体的な時間及び／又は周波数リソースマッピング位置において対応して使用されるか、或いは第１のモードのフレームフォーマットは、下りリンクシステム情報を送信するために使用され且つ下りリンクシステム情報内に含まれるか或いは指定されるフォーマットについて、すなわち、具体的な時間及び／又は周波数リソースマッピング位置において対応して使用される。端末は、下りリンクシステム情報における指定の対応関係又は指示情報に従って第１のモードのフレームフォーマットが使用されると習得した後に、第１のフレームフォーマットを使用する上りリンク制御情報又はランダムアクセス情報を基地局に直接送信してもよい。
【０１０７】
本発明のこの実施例において提供されるスケジューリング方法によれば、基地局は、下りリンク制御情報DCIを第１のタイプの端末に送信する。DCIは、第１のモードのフレームフォーマットを使用することにより上りリンクデータを送信するように第１のタイプの端末に対して命令するために使用されるスケジューリング情報を含み、第１のモードのフレームフォーマットは、少なくとも１つの上りリンクサブフレームを含み、各上りリンクサブフレームは、少なくとも１つの第１のモードのフレームフォーマットのシンボルを含み、第１のモードのフレームフォーマットのシンボルの持続時間は、第２のモードのフレームフォーマットのシンボルの持続時間の少なくとも４倍である。第２のモードのフレームフォーマットのシンボルは、LTEシステムにおけるSC-FDMAシンボルである。基地局は、下りリンク制御情報DCIを第２のタイプの端末又は第３のタイプの端末に送信する。DCIは、第２のモードのフレームフォーマットを使用することにより上りリンクデータを送信するように第２のタイプの端末又は第３のタイプの端末に対して命令するために使用されるスケジューリング情報を含む。このように、LTEシステムにおける基地局は既存のLTE端末をサポートでき、また、FDDシステムにおいて新たに利用可能である第１のタイプの端末、第２のタイプの端末及び第３のタイプの端末もサポートできる。これは、周波数リソースを節約し、また、基地局の利用率も改善する。
【０１０８】
図８は、本発明の実施例によるスケジューリング方法の概略フローチャートである。方法は通信システムに適用され、以下のいくつかのステップを含む。
【０１０９】
ステップ301.基地局は、下りリンク制御情報DCIを第１のタイプの端末に送信し、DCIは、第１のモードのフレームフォーマットを使用することにより上りリンクデータを送信するように第１のタイプの端末に対して命令するために使用されるスケジューリング情報を含む。
【０１１０】
第１のモードのフレームフォーマットは、少なくとも１つの上りリンクサブフレームを含み、各上りリンクサブフレームは、少なくとも１つの第１のモードのフレームフォーマットのシンボルを含む。第１のモードのフレームフォーマットのシンボルの持続時間は、第２のモードのフレームフォーマットのシンボルの持続時間の少なくとも４倍である。第２のモードのフレームフォーマットのシンボルは、LTEシステムにおけるSC-FDMAシンボルである。
【０１１１】
LTEシステムの上りリンク構成が通常サイクリックプレフィクスCPであるときに、各上りリンクサブフレームは1ミリ秒の持続時間を有し、１４個のSC-FDMAシンボルを含む。したがって、LTEシステムにおける各SC-FDMAシンボルは、通常サイクリックプレフィクスを含み、平均で1/14ミリ秒の持続時間を有する。LTEシステムにおける各上りリンクサブフレームに含まれるSC-FDMAシンボルの持続時間は異なってもよい点に留意すべきである。例えば、各上りリンクサブフレームに含まれる１４個のSC-FDMAシンボルの中で、２つのロングSC-FDMAシンボルが存在し、各ロングSC-FDMAシンボルの持続時間は71.88ミリ秒であり、１２個のショートSC-FDMAシンボルが存在し、各ショートSC-FDMAシンボルの持続時間は71.35ミリ秒である。LTEシステムの上りリンク構成が拡張サイクリックプレフィクスCPであるときに、各上りリンクサブフレームは1ミリ秒の持続時間を有し、同じ持続時間を有する１２個のSC-FMDAシンボルを含む。したがって、LTEシステムにおける各SC-FDMAシンボルは、拡張サイクリックプレフィクスを含み、1/12ミリ秒の持続時間を有する。LTEシステムにおけるSC-FDMAシンボルがCPを含まないときに、各シンボルの持続時間は66.7ミリ秒である。
【０１１２】
さらに、上りリンクデータは、物理上りリンク共有チャネルPUSCH上で搬送されてもよく、或いは上りリンクデータを送信するために使用され且つ第１のタイプの端末のために規定された物理チャネル上で搬送されてもよい。
【０１１３】
SC-FDMAが上りリンクにおいて使用されるときに、第１のモードのフレームフォーマットのシンボルはSC-FDMAシンボルでもよく、或いはFDMA周波数分割多元接続が上りリンクにおいて使用されるときに、第１のモードのフレームフォーマットのシンボルはFDMAシンボルでもよい点に留意すべきである。これは、本発明のこの実施例では具体的に限定されない。さらに、第１のモードのフレームフォーマットのシンボルは、サイクリックプレフィクスCPが追加されたシンボルでもよく、或いはCPが追加されていないシンボルでもよい。第２のモードのフレームフォーマットのシンボルは、サイクリックプレフィクスCPが追加されたシンボルでもよく、或いはCPが追加されていないシンボルでもよい。
【０１１４】
通信システムは、周波数分割複信FDDシステムでもよく、或いは時分割複信TDDシステムでもよい。したがって、第２のモードのフレームフォーマットは、FDDシステムに適用可能なフレーム構造タイプ１と、TDDシステムに適用可能なフレーム構造タイプ２とを含む。さらに、第１のモードのフレームフォーマットは、FDD通信システムとTDD通信システムとの間で変化する。
【０１１５】
TDDシステムに適用可能であり且つ第２のモードのフレームフォーマットに含まれるフレーム構造タイプ２が図９に示されている。第２のモードのフレームフォーマットは、２つの5ミリ秒のハーフフレームを含む10ミリ秒の無線フレームを含む。各ハーフフレームは５つの1ミリ秒のサブフレームを含み、下りリンクサブフレームと、スペシャルサブフレームと、上りリンクサブフレームとを含む。スペシャルサブフレームは、下りリンクパイロットタイムスロットDwPTSと、上りリンクパイロットタイムスロットUpPTSと、ガード期間CPとを含む。5ミリ秒の周期が下りリンクから上りリンクへの切り替え点に使用されるときに、スペシャルサブフレームは双方のハーフフレームに存在する。10ミリ秒の周期が下りリンクから上りリンクへの切り替え点に使用されるときに、スペシャルサブフレームは第１のハーフフレームのみに存在する。さらに、通常CPが使用されるときに、各サブフレームは１４個のOFDMシンボル又はSC-FDMAシンボルを含み、或いは拡張CPが使用されるときに、各サブフレームは１２個のOFDMシンボル又はSC-FDMAシンボルを含む。
【０１１６】
さらに、以下に、TDDシステムにおける対応する第１のモードのフレームフォーマットについて説明する。
【０１１７】
具体的には、通信システムが時分割複信TDDシステムであるときに、第１のモードのフレームフォーマットは少なくとも１つの上りリンクサブフレームを含み、少なくとも１つのスペシャルサブフレームと、少なくとも１つの下りリンクサブフレームとを更に含む。スペシャルサブフレームは、下りリンクパイロットタイムスロットDwPTS、上りリンクパイロットタイムスロットUpPTS又はガード期間GPのうち少なくとも１つを含む。
【０１１８】
通信システムがTDDシステムであるときに、第２のモードのフレームフォーマットはフレーム構造タイプ２である。第２のモードのフレームフォーマットにおける上りリンク及び下りリンク構成は表１に示されており、Dは下りリンクサブフレームを表し、Sはスペシャルサブフレームを表し、Uは上りリンクサブフレームを表す。各サブフレームの持続時間は1ミリ秒である。スペシャルサブフレームは、下りリンクパイロットタイムスロットDwPTSと、上りリンクパイロットタイムスロットUpPTSと、ガード期間GPとを含む。第１のモードのフレームフォーマットがUpPTSを含み、第１のモードのフレームフォーマットにおけるUpPTSの長さが第２のタイプのフレームフォーマットにおけるUpPTSの長さ以下であるときに、上りリンク信号又はチャネルは、第１のモードのフレームフォーマットに含まれるUpPTS内で送信されない。第２のモードのフレームフォーマットにおいてスペシャルサブフレーム内のDwPTS/GP/UpPTSの長さは表２に示されている。
【表１】
2019503141.tif 000003
【表２】
2019503141.tif 000004
TsはLTEシステムにおける時間ドメインの基本単位であり、Ts=1/(15000*2048)秒である点に留意すべきである。
【０１１９】
通信システムがTDDシステムであるときに、各上りリンクサブフレームは、少なくとも１つの第１のモードのフレームフォーマットのシンボルを含み、各スペシャルサブフレームの時間長は1ミリ秒である。通信システムが下りリンクにおいて通常CPを使用するときに、各下りリンクサブフレームの長さは１４個の直交周波数分割多重OFDMシンボルの長さであるか、或いは通信システムが下りリンクにおいて拡張CPを使用するときに、各下りリンクサブフレームの長さは１２個の直交周波数分割多重OFDMシンボルの長さである。
【０１２０】
図１０に示すように、通信システムが上りリンクにおいて通常CPを使用し、上りリンクサブフレームの持続時間が1ミリ秒であるときに、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒未満であり、第２のモードのフレームフォーマットのシンボルの持続時間は、通常サイクリックプレフィクスを含む各SC-FDMAシンボルの持続時間である。この図において、Dは下りリンクサブフレームを表し、Sはスペシャルサブフレームを表す。
【０１２１】
図１１に示すように、通信システムが上りリンクにおいて拡張CPを使用し、上りリンクサブフレームの持続時間が1ミリ秒であるときに、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒に等しく、第２のモードのフレームフォーマットのシンボルの持続時間は、拡張サイクリックプレフィクスを含む各SC-FDMAシンボルの持続時間である。
【０１２２】
さらに、第１のモードのフレームフォーマットの上りリンク及び下りリンク構成は表１に示されており、Dは下りリンクサブフレームを表し、Sはスペシャルサブフレームを表し、Uは上りリンクサブフレームを表す。スペシャルサブフレームの構成は表２に示されている。各上りリンクサブフレームの持続時間は1ミリ秒である。
【０１２３】
任意選択で、1ミリ秒の時間長内に含まれる第１のモードのフレームフォーマットのシンボルのうち最後のシンボルが1ミリ秒の時間長内の最後の第２のモードのフレームフォーマットのシンボルと部分的に或いは完全に重複するときに、上りリンク信号又はチャネルは、1ミリ秒の時間長内の最後の第１のモードのフレームフォーマットのシンボル内で送信されない。第１のモードのフレームフォーマットのシンボルが通常CPを含むシンボルであるときに、第２のモードのフレームフォーマットのシンボルは、通常CPを含むSC-FDMAシンボルである。第１のモードのフレームフォーマットのシンボルが拡張CPを含むシンボルであるときに、第２のモードのフレームフォーマットのシンボルは、拡張CPを含むSC-FDMAシンボルである。第１のモードのフレームフォーマットのシンボルがCPを含まないシンボルであるときに、第２のモードのフレームフォーマットのシンボルは、CPを含まないSC-FDMAシンボルである。
【０１２４】
すなわち、第３のシナリオ、すなわち、帯域内配置のシナリオでは、1ミリ秒の時間長内に含まれる第１のモードのフレームフォーマットのシンボルのうち最後のシンボルが1ミリ秒の時間長内の最後の第２のモードのフレームフォーマットのシンボルと部分的に或いは完全に重複する場合、既存のLTE端末によるSRSの送信が影響されないように、1ミリ秒の時間長内に含まれる第１のモードのフレームフォーマットのシンボルのうち最後の第１のモードのフレームフォーマットのシンボルが1ミリ秒の時間長内の最後の第２のモードのフレームフォーマットのシンボルと部分的に或いは完全に重複するときに、上りリンク信号又はチャネルは、1ミリ秒の時間長内の最後の第１のモードのフレームフォーマットのシンボル上で送信されない。任意選択で、独立配置の第１のシナリオ及びガード間隔配置の第２のシナリオでは、1ミリ秒の時間長内に含まれる第１のモードのフレームフォーマットのシンボルのうち最後の第１のモードのフレームフォーマットのシンボルが1ミリ秒の時間長内の最後の第２のモードのフレームフォーマットのシンボルと部分的に或いは完全に重複するときに、上りリンク信号又はチャネルは、1ミリ秒内の最後の第１のモードのフレームフォーマットのシンボル上で送信されない。
【０１２５】
例えば、図１１に示す第１のモードのフレームフォーマットにおいて、３つの第１のモードのフレームフォーマットのシンボルがシンボル0、シンボル1及びシンボル2である場合、上りリンク信号又はチャネルは、シンボル2上で送信されない。
【０１２６】
さらに、通信システムがTDDシステムであるときに、5ミリ秒の周期が第１のモードのフレームフォーマットにおける下りリンクから上りリンクへの切り替え点に使用される。１つの下りリンクサブフレーム、１つのスペシャルサブフレーム及び少なくとも１つの上りリンクサブフレームが5ミリ秒の時間長内に含まれ、各上りリンクサブフレームは少なくとも１つの第１のモードのフレームフォーマットのシンボルを含み、各スペシャルサブフレームの時間長は1ミリ秒である。通信システムが下りリンクにおいて通常CPを使用するときに、各下りリンクサブフレームの長さは１４個の直交周波数分割多重OFDMシンボルの長さであるか、或いは通信システムが下りリンクにおいて拡張CPを使用するときに、各下りリンクサブフレームの長さは１２個の直交周波数分割多重OFDMシンボルの長さである。
【０１２７】
図１２に示すように、通信システムが上りリンクにおいて通常CPを使用し、上りリンクサブフレームの持続時間が3ミリ秒であるときに、上りリンクサブフレームは１０個の第１のモードのフレームフォーマットのシンボルを含み、１０個の第１のモードのフレームフォーマットのシンボルの持続時間は４０個の第２のモードのフレームフォーマットのシンボルの持続時間に等しく、3ミリ秒未満であり、第２のモードのフレームフォーマットのシンボルの持続時間は、通常サイクリックプレフィクスを含む各SC-FDMAシンボルの持続時間である。
【０１２８】
図１３に示すように、通信システムが上りリンクにおいて拡張CPを使用し、上りリンクサブフレームの持続時間が3ミリ秒であるときに、上りリンクサブフレームは９個の第１のモードのフレームフォーマットのシンボルを含み、９個の第１のモードのフレームフォーマットのシンボルの持続時間は３６個の第２のモードのフレームフォーマットのシンボルの持続時間に等しく、3ミリ秒に等しく、第２のモードのフレームフォーマットのシンボルの持続時間は、拡張サイクリックプレフィクスを含む各SC-FDMAシンボルの持続時間である。
【０１２９】
例えば、図１２に示す第１のモードのフレームフォーマットにおいて、１０個の第１のモードのフレームフォーマットのシンボルがシンボル0、シンボル1、…、シンボル8及びシンボル9である場合、上りリンク信号又はチャネルは、シンボル3及びシンボル6上で送信されない。図１３に示す第１のモードのフレームフォーマットにおいて、９個の第１のモードのフレームフォーマットのシンボルがシンボル0、シンボル1、…、シンボル7及びシンボル8である場合、上りリンク信号又はチャネルは、シンボル5及びシンボル8上で送信されない。
【０１３０】
図１４に示すように、通信システムが上りリンクにおいて通常CPを使用し、上りリンクサブフレームの持続時間が2ミリ秒であるときに、上りリンクサブフレームは７個の第１のモードのフレームフォーマットのシンボルを含み、７個の第１のモードのフレームフォーマットのシンボルの持続時間は２８個の第２のモードのフレームフォーマットのシンボルの持続時間に等しく、2ミリ秒に等しく、第２のモードのフレームフォーマットのシンボルの持続時間は、通常サイクリックプレフィクスを含む各SC-FDMAシンボルの持続時間である。
【０１３１】
図１５に示すように、通信システムが上りリンクにおいて拡張CPを使用し、上りリンクサブフレームの持続時間が2ミリ秒であるときに、上りリンクサブフレームは６個の第１のモードのフレームフォーマットのシンボルを含み、６個の第１のモードのフレームフォーマットのシンボルの持続時間は２４個の第２のモードのフレームフォーマットのシンボルの持続時間に等しく、2ミリ秒に等しく、第２のモードのフレームフォーマットのシンボルの持続時間は、拡張サイクリックプレフィクスを含む各SC-FDMAシンボルの持続時間である。
【０１３２】
任意選択で、図１４に示す第１のモードのフレームフォーマットにおいて、７個の第１のモードのフレームフォーマットのシンボルがシンボル0、シンボル1、…、シンボル5及びシンボル6である場合、上りリンク信号又はチャネルは、シンボル3及びシンボル6上で送信されない。図１５に示す第１のモードのフレームフォーマットにおいて、６個の第１のモードのフレームフォーマットのシンボルがシンボル0、シンボル1、…、及びシンボル5である場合、上りリンク信号又はチャネルは、シンボル2及びシンボル5上で送信されない。
【０１３３】
さらに、図１６に示すように、通信システムが上りリンクにおいて通常CPを使用するときに、上りリンクサブフレームの持続時間が1ミリ秒である場合、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒未満であり、第２のモードのフレームフォーマットのシンボルの持続時間は、通常サイクリックプレフィクスを含む各SC-FDMAシンボルの持続時間である。
【０１３４】
さらに、図１７に示すように、通信システムが上りリンクにおいて拡張CPを使用するときに、上りリンクサブフレームの持続時間が1ミリ秒である場合、上りリンクサブフレームは３つの第１のモードのフレームフォーマットのシンボルを含み、３つの第１のモードのフレームフォーマットのシンボルの持続時間は１２個の第２のモードのフレームフォーマットのシンボルの持続時間に等しく、1ミリ秒に等しく、第２のモードのフレームフォーマットのシンボルの持続時間は、拡張サイクリックプレフィクスを含む各SC-FDMAシンボルの持続時間である。
【０１３５】
任意選択で、図１７に示す第１のモードのフレームフォーマットにおいて、３個の第１のモードのフレームフォーマットのシンボルがシンボル0、シンボル1及びシンボル2である場合、上りリンク信号又はチャネルは、シンボル3上で送信されない。
【０１３６】
さらに、通信システムがTDDシステムであるときに、5ミリ秒の周期が第１のモードのフレームフォーマットにおける下りリンクから上りリンクへの切り替え点に使用される。１つの下りリンクサブフレーム、１つのスペシャルサブフレーム及び少なくとも１つの上りリンクサブフレームが5ミリ秒の時間長内に含まれ、各上りリンクサブフレームは少なくとも１つの第１のモードのフレームフォーマットのシンボルを含む。各スペシャルサブフレームは、DwPTS又はGPのうち少なくとも１つを含み、DwPTS又はGPの長さは、LTEシステムにおけるフレーム構造タイプ２におけるスペシャルサブフレーム内のDwPTS又はGPのものと同じであり、スペシャルサブフレームの構成によって変化する。表２に示すように、DwPTS及びGPの合計時間長は1ミリ秒未満である。
【０１３７】
具体的には、通信システムが下りリンクにおいて通常CPを使用するときに、各下りリンクサブフレームの長さは１４個の直交周波数分割多重OFDMシンボルの長さであるか、或いは通信システムが下りリンクにおいて拡張CPを使用するときに、各下りリンクサブフレームの長さは１２個の直交周波数分割多重OFDMシンボルの長さである。
【０１３８】
図１８に示すように、通信システムが上りリンクにおいて通常CPを使用し、スペシャルサブフレームに含まれるDwPTS及びGPが表２におけるスペシャルサブフレームの構成５、６、７、８又は９を満たすときに、上りリンクサブフレームの持続時間が(T1+3)ミリ秒である場合、上りリンクサブフレームは１１個の第１のモードのフレームフォーマットのシンボルを含み、１１個の第１のモードのフレームフォーマットのシンボルの持続時間は４４個の第２のモードのフレームフォーマットのシンボルの持続時間に等しく、(T1+3)ミリ秒に等しく、T1は1ミリ秒-DwPTSにより占有される時間-GPにより占有される時間であり、DwPTSにより占有される時間及びGPにより占有される時間はミリ秒の単位であり、第２のモードのフレームフォーマットのシンボルの持続時間は、通常サイクリックプレフィクスを含む各SC-FDMAシンボルの持続時間である。
【０１３９】
任意選択で、図１８に示す第１のモードのフレームフォーマットにおいて、１１個の第１のモードのフレームフォーマットのシンボルがシンボル0、シンボル1、…、シンボル9及びシンボル10を含む場合、上りリンク信号又はチャネルは、シンボル3、シンボル7及びシンボル10上で送信されない。
【０１４０】
図１９に示すように、通信システムが上りリンクにおいて通常CPを使用し、スペシャルサブフレームに含まれるDwPTS及びGPが表２におけるスペシャルサブフレームの構成５、６、７、８又は９を満たすときに、上りリンクサブフレームの持続時間が(T2+1)ミリ秒である場合、上りリンクサブフレームは４個の第１のモードのフレームフォーマットのシンボルを含み、４個の第１のモードのフレームフォーマットのシンボルの持続時間は１６個の第２のモードのフレームフォーマットのシンボルの持続時間に等しく、(T2+1)ミリ秒に等しく、T2は1ミリ秒-DwPTSにより占有される時間-GPにより占有される時間であり、DwPTSにより占有される時間及びGPにより占有される時間はミリ秒の単位であり、第２のモードのフレームフォーマットのシンボルの持続時間は、通常サイクリックプレフィクスを含む各SC-FDMAシンボルの持続時間である。
【０１４１】
任意選択で、図１９に示す第１のモードのフレームフォーマットにおいて、４個の第１のモードのフレームフォーマットのシンボルがシンボル0、シンボル1、シンボル2及びシンボル3である場合、上りリンク信号又はチャネルは、シンボル0及びシンボル3上で送信されない。
【０１４２】
さらに、通信システムがTDDシステムであるときに、10ミリ秒の周期が第１のモードのフレームフォーマットにおける下りリンクから上りリンクへの切り替え点に使用される。１つの下りリンクサブフレーム、１つのスペシャルサブフレーム及び少なくとも１つの上りリンクサブフレームが最初の5ミリ秒の時間長内に含まれ、下りリンクサブフレームのみが最後の5ミリ秒の時間長内に含まれ、各下りリンクサブフレームの持続時間は1ミリ秒である。各上りリンクサブフレームは少なくとも１つの第１のモードのフレームフォーマットのシンボルを含む。図１８及び図１９に示す第１のモードのフレームフォーマットにおいて、各スペシャルサブフレームがDwPTS又はGPのうち少なくとも１つを含み、DwPTS又はGPの長さがLTEシステムにおけるフレーム構造タイプ２におけるスペシャルサブフレーム内のDwPTS又はGPのものと同じである場合、表２における異なるスペシャルサブフレーム構成に対応するDwPTS又はGPの長さは異なり、DwPTS及びGPの合計時間長は1ミリ秒未満である。
【０１４３】
具体的には、通信システムが下りリンクにおいて通常CPを使用するときに、各下りリンクサブフレームの長さは１４個の直交周波数分割多重OFDMシンボルの長さであるか、或いは通信システムが下りリンクにおいて拡張CPを使用するときに、各下りリンクサブフレームの長さは１２個の直交周波数分割多重OFDMシンボルの長さである。
【０１４４】
図１２に具体的に示すように、通信システムが上りリンクにおいて通常CPを使用するときに、最初の5ミリ秒の時間長内の上りリンクサブフレームの持続時間が3ミリ秒である場合、上りリンクサブフレームは１０個の第１のモードのフレームフォーマットのシンボルを含み、１０個の第１のモードのフレームフォーマットのシンボルの持続時間は４０個の第２のモードのフレームフォーマットのシンボルの持続時間に等しく、3ミリ秒未満であり、第２のモードのフレームフォーマットのシンボルの持続時間は、通常サイクリックプレフィクスを含む各SC-FDMAシンボルの持続時間である。図１８に具体的に示すように、スペシャルサブフレームに含まれるDwPTS及びGPが表２におけるスペシャルサブフレームの構成５、６、７、８又は９を満たすときに、最初の5ミリ秒の時間長内の上りリンクサブフレームの持続時間が(T1+3)ミリ秒である場合、上りリンクサブフレームは１１個の第１のモードのフレームフォーマットのシンボルを含み、１１個の第１のモードのフレームフォーマットのシンボルの持続時間は４４個の第２のモードのフレームフォーマットのシンボルの持続時間に等しく、(T1+3)ミリ秒に等しく、T1は1ミリ秒-DwPTSにより占有される時間-GPにより占有される時間であり、DwPTSにより占有される時間及びGPにより占有される時間はミリ秒の単位であり、第２のモードのフレームフォーマットのシンボルの持続時間は、通常サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明では説明しない。
【０１４５】
図１３に具体的に示すように、通信システムが上りリンクにおいて拡張CPを使用するときに、最初の5ミリ秒の時間長内の上りリンクサブフレームの持続時間が3ミリ秒である場合、上りリンクサブフレームは９個の第１のモードのフレームフォーマットのシンボルを含み、９個の第１のモードのフレームフォーマットのシンボルの持続時間は３６個の第２のモードのフレームフォーマットのシンボルの持続時間に等しく、3ミリ秒に等しく、第２のモードのフレームフォーマットのシンボルの持続時間は、拡張サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明のこの実施例では説明しない。
【０１４６】
任意選択で、図１４に具体的に示すように、通信システムが上りリンクにおいて通常CPを使用し、最初の5ミリ秒の時間長内の上りリンクサブフレームの持続時間が2ミリ秒であるときに、上りリンクサブフレームは７個の第１のモードのフレームフォーマットのシンボルを含み、７個の第１のモードのフレームフォーマットのシンボルの持続時間は２８個の第２のモードのフレームフォーマットのシンボルの持続時間に等しく、2ミリ秒未満であり、第２のモードのフレームフォーマットのシンボルの持続時間は、通常サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明のこの実施例では説明しない。
【０１４７】
図１５に具体的に示すように、通信システムが上りリンクにおいて拡張CPを使用し、最初の5ミリ秒の時間長内の上りリンクサブフレームの持続時間が2ミリ秒であるときに、上りリンクサブフレームは６個の第１のモードのフレームフォーマットのシンボルを含み、６個の第１のモードのフレームフォーマットのシンボルの持続時間は２４個の第２のモードのフレームフォーマットのシンボルの持続時間に等しく、2ミリ秒に等しく、第２のモードのフレームフォーマットのシンボルの持続時間は、拡張サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明のこの実施例では説明しない。
【０１４８】
任意選択で、図１６に具体的に示すように、通信システムが上りリンクにおいて通常CPを使用するときに、最初の5ミリ秒の時間長内の上りリンクサブフレームの持続時間が1ミリ秒である場合、上りリンクサブフレームは３個の第１のモードのフレームフォーマットのシンボルを含み、３個の第１のモードのフレームフォーマットのシンボルの持続時間は１２個の第２のモードのフレームフォーマットのシンボルの持続時間に等しく、1ミリ秒未満である。図１９に具体的に示すように、スペシャルサブフレームに含まれるDwPTS及びGPがスペシャルサブフレームの構成５、６、７、８又は９を満たすときに、最初の5ミリ秒の時間長内の上りリンクサブフレームの持続時間が(T2+1)ミリ秒である場合、上りリンクサブフレームは４個の第１のモードのフレームフォーマットのシンボルを含み、４個の第１のモードのフレームフォーマットのシンボルの持続時間は１６個の第２のモードのフレームフォーマットのシンボルの持続時間に等しく、(T2+1)ミリ秒に等しく、T2は1ミリ秒-DwPTSにより占有される時間-GPにより占有される時間であり、DwPTSにより占有される時間及びGPにより占有される時間はミリ秒の単位であり、第２のモードのフレームフォーマットのシンボルの持続時間は、通常サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明のこの実施例では説明しない。
【０１４９】
図１７に具体的に示すように、通信システムが上りリンクにおいて拡張CPを使用するときに、最初の5ミリ秒の時間長内の上りリンクサブフレームの持続時間が1ミリ秒である場合、上りリンクサブフレームは３個の第１のモードのフレームフォーマットのシンボルを含み、３個の第１のモードのフレームフォーマットのシンボルの持続時間は１２個の第２のモードのフレームフォーマットのシンボルの持続時間に等しく、1ミリ秒に等しく、第２のモードのフレームフォーマットのシンボルの持続時間は、拡張サイクリックプレフィクスを含む各SC-FDMAシンボルの持続時間である。下りリンクサブフレームのみが最後の5ミリ秒の時間長内に含まれ、下りリンクサブフレームは、第２のモードのフレームフォーマットにおける下りリンクサブフレームと一致する。詳細は本発明のこの実施例では説明しない。
【０１５０】
さらに、通信システムがTDDシステムであるときに、5ミリ秒の周期が第１のモードのフレームフォーマットにおける下りリンクから上りリンクへの切り替え点に使用され、5ミリ秒の時間長内に含まれる上りリンクサブフレームの持続時間は、次の5ミリ秒の時間長内に含まれる上りリンクサブフレームの持続時間とは異なり、１つの下りリンクサブフレーム、１つのスペシャルサブフレーム及び少なくとも１つの上りリンクサブフレームが各5ミリ秒の時間長内に含まれ、各上りリンクサブフレームは少なくとも１つの第１のモードのフレームフォーマットのシンボルを含み、各スペシャルサブフレームの時間長は1ミリ秒以下である。通信システムが下りリンクにおいて通常CPを使用するときに、各下りリンクサブフレームの長さは１４個の直交周波数分割多重OFDMシンボルの長さであるか、或いは通信システムが下りリンクにおいて拡張CPを使用するときに、各下りリンクサブフレームの長さは１２個の直交周波数分割多重OFDMシンボルの長さである。
【０１５１】
図１２に具体的に示すように、通信システムが上りリンクにおいて通常CPを使用するときに、5ミリ秒の時間長内に含まれる上りリンクサブフレームの持続時間が3ミリ秒である場合、上りリンクサブフレームは１０個の第１のモードのフレームフォーマットのシンボルを含み、１０個の第１のモードのフレームフォーマットのシンボルの持続時間は４０個の第２のモードのフレームフォーマットのシンボルの持続時間に等しく、3ミリ秒未満であり、第２のモードのフレームフォーマットのシンボルの持続時間は、通常サイクリックプレフィクスを含む各SC-FDMAシンボルの持続時間である。図１８に具体的に示すように、スペシャルサブフレームに含まれるDwPTS及びGPが表２におけるスペシャルサブフレームの構成５、６、７、８又は９を満たすときに、5ミリ秒の時間長内に含まれる上りリンクサブフレームの持続時間が(T1+3)ミリ秒である場合、上りリンクサブフレームは１１個の第１のモードのフレームフォーマットのシンボルを含み、１１個の第１のモードのフレームフォーマットのシンボルの持続時間は４４個の第２のモードのフレームフォーマットのシンボルの持続時間に等しく、第２のモードのフレームフォーマットのシンボルの持続時間は、通常サイクリックプレフィクスを含む各SC-FDMAシンボルの持続時間である。図１４に具体的に示すように、次の5ミリ秒の時間長内に含まれる上りリンクサブフレームの持続時間が2ミリ秒である場合、上りリンクサブフレームは７個の第１のモードのフレームフォーマットのシンボルを含み、７個の第１のモードのフレームフォーマットのシンボルの持続時間は２８個の第２のモードのフレームフォーマットのシンボルの持続時間に等しく、2ミリ秒に等しく、第２のモードのフレームフォーマットのシンボルの持続時間は通常サイクリックプレフィクスを含む各SC-FDMAシンボルの持続時間である。
【０１５２】
さらに、図１３に具体的に示すように、通信システムが上りリンクにおいて拡張CPを使用するときに、5ミリ秒の時間長内に含まれる上りリンクサブフレームの持続時間が3ミリ秒である場合、上りリンクサブフレームは９個の第１のモードのフレームフォーマットのシンボルを含み、９個の第１のモードのフレームフォーマットのシンボルの持続時間は３６個の第２のモードのフレームフォーマットのシンボルの持続時間に等しく、3ミリ秒に等しく、第２のモードのフレームフォーマットのシンボルの持続時間は、拡張サイクリックプレフィクスを含む各SC-FDMAシンボルの持続時間である。図１５に具体的に示すように、次の5ミリ秒の時間長内に含まれる上りリンクサブフレームの持続時間が2ミリ秒である場合、上りリンクサブフレームは６個の第１のモードのフレームフォーマットのシンボルを含み、６個の第１のモードのフレームフォーマットのシンボルの持続時間は２４個の第２のモードのフレームフォーマットのシンボルの持続時間に等しく、2ミリ秒に等しく、第２のモードのフレームフォーマットのシンボルの持続時間は拡張サイクリックプレフィクスを含む各SC-FDMAシンボルの持続時間である。
【０１５３】
さらに、第２のモードのフレームフォーマットが利用不可能な上りリンクサブフレームを含むときに、上りリンク信号又はチャネルは、第２のモードのフレームフォーマットにおける利用不可能な上りリンクサブフレームの持続時間内の対応する第１のモードのフレームフォーマットのシンボル上で送信されない。利用不可能な上りリンクサブフレームは１つ以上の上りリンクサブフレームであり、各上りリンクサブフレームの持続時間は1ミリ秒である。利用不可能な上りリンクサブフレームは、利用不可能な上りリンクサブフレーム内の全部又は一部の周波数リソースが予約リソースであることを意味する。予約リソースは、特別な端末の間、或いは特別な通信システムによりサポートされる端末及び基地局の間、或いは特別な通信システムによりサポートされる端末の間の通信に使用される。予約リソースは、特別でない端末の間、或いは特別でない通信システムによりサポートされる端末及び基地局の間、或いは特別でない通信システムによりサポートされる端末の間の通信には使用できない。例えば、LTEシステムにおける利用不可能な上りリンクサブフレーム内の全部又は一部の周波数リソースは予約リソースであり、このような特別なシステムにおけるデバイスの間の通信に使用される。予約リソースは、利用不可能な上りリンクサブフレーム内で一般のLTE端末により使用できない。
【０１５４】
第１のタイプの端末は、システム情報を受信することにより、利用不可能な上りリンクサブフレーム内にある上りリンクサブフレームを含むか、或いは予約リソースである利用不可能な上りリンクサブフレーム内の周波数ドメインリソース等を更に含む、利用不可能な上りリンクサブフレームについての情報を習得する。
【０１５５】
すなわち、第３のシナリオ、すなわち、帯域内配置のシナリオでは、第２のモードのフレームフォーマットが利用不可能な上りリンクサブフレームを含む場合、上りリンク信号又はチャネルは、第２のモードのフレームフォーマットにおける利用不可能な上りリンクサブフレームの持続時間内の対応する第１のモードのフレームフォーマットのシンボル上で送信されないか、或いは第２のモードのフレームフォーマットにおける利用不可能な上りリンクサブフレームの持続時間内の対応する第１のモードのフレームフォーマットのシンボル上で送信されるべき上りリンク信号又はチャネルの送信は、第２のモードのフレームフォーマットにおける利用可能な上りリンクサブフレームの持続時間内の対応する第１のモードのフレームフォーマットのシンボルまで延期される。
【０１５６】
任意選択で、上りリンク復調参照信号は、少なくとも１つの上りリンクサブフレーム内の少なくとも１つの第１のモードのフレームフォーマットのシンボル上で送信される。
【０１５７】
すなわち、第１のモードのフレームフォーマットが１つの上りリンクサブフレームを含み、上りリンクサブフレームが少なくとも１つの第１のモードのフレームフォーマットのシンボルを含むときに、上りリンク復調参照信号は、少なくとも１つの第１のモードのフレームフォーマットのシンボルのうち１つ以上の上で送信されてもよく、或いは第１のモードのフレームフォーマットが複数の上りリンクサブフレーム、すなわち、２つ以上の上りリンクサブフレームを含むときに、上りリンク復調参照信号は、複数の上りリンクサブフレームのうちいずれか１つ以上で送信され、上りリンクサブフレームに含まれる少なくとも１つの第１のモードのフレームフォーマットのシンボルのうち１つ以上の上で送信されてもよい。
【０１５８】
例えば、第１のモードのフレームフォーマットが１つの下りリンクサブフレームと、１つのスペシャルサブフレームと、１つの上りリンクサブフレームとを含み、上りリンクサブフレームが３つの第１のモードのフレームフォーマットのシンボルを含むときに、上りリンク復調参照信号は、３つの第１のモードのフレームフォーマットのシンボルのいずれか１つ又は２つの上で送信されてもよく、或いは３つの第１のモードのフレームフォーマットのシンボルの全ての上で送信されてもよい。第１のモードのフレームフォーマットが１つの下りリンクサブフレームと、１つのスペシャルサブフレームと、２つの上りリンクサブフレームを含み、各上りリンクサブフレームが３つの第１のモードのフレームフォーマットのシンボルを含むときに、上りリンク復調参照信号は、２つの上りリンクサブフレームの一方で送信されてもよく、或いは上りリンクサブフレームの双方で送信されてもよく、２つの上りリンクサブフレームに含まれる第１のモードのフレームフォーマットのシンボルのうちいずれか１つ以上の上で送信されてもよい。これは、本発明のこの実施例では限定されない。
【０１５９】
さらに、スケジューリング情報は、第１のモードのフレームフォーマットに対応する物理リソース情報を含む。物理リソース情報は時間リソース及び周波数リソースを含む。時間リソースは少なくとも１つの上りリンクサブフレームを含む。周波数リソースは１つのサブキャリアを含む。
【０１６０】
スケジューリング情報に含まれる物理リソース情報内の時間リソースはスケジューリング長と呼ばれてもよい。最小スケジューリング長は、３つの第１のモードのフレームフォーマットのシンボルの長さである。実際のスケジューリング長は、基地局と端末との間の距離、又は端末がセル内で満たす必要があるカバレッジ要件に従ってもよい。基地局は少なくとも１つのスケジューリング長をサポートしてもよい。例えば、スケジューリング長C1について、NC1個の連続する上りリンクサブフレームの中で、LC1個の上りリンクサブフレームの最大カバレッジがセル内でサポートされ、スケジューリング長C2について、NC2個の連続する上りリンクサブフレームの中で、LC2個の上りリンクサブフレームの最大カバレッジがセル内でサポートされ、以下同様である。LC2個の上りリンクサブフレームのカバレッジエリアはLC1個の上りリンクサブフレームのもの以上であり、NC1及びNC2は正の整数であり、NC2はNC1以上であり、予め設定されてもよい。これは、本発明のこの実施例では具体的に限定されない。さらに、スケジューリング長毎に、スケジューリング情報に含まれる物理リソース情報内の周波数リソースは１つのサブキャリアである。
【０１６１】
ステップ302.基地局は、下りリンク制御情報DCIを第２のタイプの端末又は第３のタイプの端末に送信し、DCIは、第２のモードのフレームフォーマットを使用することにより上りリンクデータを送信するように第２のタイプの端末又は第３のタイプの端末に対して命令するために使用されるスケジューリング情報を含む。
【０１６２】
第２のモードのフレームフォーマットは、FDDシステムに適用可能なフレーム構造タイプ１と、TDDシステムに適用可能なフレーム構造タイプ２とを含む。通信システムがTDDシステムであるときに、第２のモードのフレームフォーマットは、TDDシステムに適用可能なフレーム構造タイプ２であり、フレーム構造タイプ２は、２つの5ミリ秒のハーフフレームを含む１つの10ミリ秒の無線フレームを含む。各ハーフフレームは５つの1ミリ秒のサブフレームを含み、下りリンクサブフレームと、スペシャルサブフレームと、上りリンクサブフレームとを含む。スペシャルサブフレームは、下りリンクパイロットタイムスロットDwPTSと、上りリンクパイロットタイムスロットUpPTSと、ガード期間CPとを含む。すなわち、第２のモードのフレームフォーマットは10個のサブフレームを含み、各サブフレームの長さは1ミリ秒であり、第２のモードのフレームフォーマットに対応する物理リソース情報内のサブキャリアの間の間隔は15kHzである。
【０１６３】
例えば、下りリンク制御情報DCIは、上りリンクデータを送信するように端末に対して命令するために使用されるスケジューリング情報を含み、周波数ドメインにおいて使用されるサブキャリア数、使用される変調及び符号化方式若しくは変調方式、又は搬送されるトランスポートブロックに含まれるビット数のうち少なくとも１つを含む。
【０１６４】
通信システムがTDDシステムであるときに、具体的な第２のモードのフレームフォーマットについては、関係する技術を参照する点に留意すべきである。詳細は本発明のこの実施例において説明しない。
【０１６５】
ステップ303.端末は、基地局により送信された下りリンク制御情報DCIを受信し、下りリンク制御情報に従って上りリンクデータを送信する。
【０１６６】
具体的には、端末が第１のタイプの端末であるときに、DCIは、第１のモードのフレームフォーマットを使用することにより上りリンクデータを送信するように第１のタイプの端末に対して命令するために使用されるスケジューリング情報を含む。DCIを受信した後に、第１のタイプの端末は、第１のモードのフレームフォーマットにおける上りリンクデータを基地局に送信する。端末が第２のタイプの端末又は第３のタイプの端末であるときに、DCIは、第２のモードのフレームフォーマットを使用することにより上りリンクデータを送信するように第２のタイプの端末又は第３のタイプの端末に対して命令するために使用されるスケジューリング情報を含む。スケジューリング情報を受信した後に、第２のタイプの端末又は第３のタイプの端末は、第２のモードのフレームフォーマットにおける上りリンクデータを基地局に送信する。
【０１６７】
端末が第２のタイプの端末又は第３のタイプの端末であるときに、スケジューリング情報は、第２のモードのフレームフォーマットに対応する物理リソース情報を含む点に留意すべきである。物理リソース情報は時間リソース及び周波数リソースを含む。時間リソースは少なくとも１つの上りリンクサブフレームを含む。周波数リソースは１つのサブキャリアを含み、サブキャリア間隔は15kHzである。
【０１６８】
スケジューリング情報に含まれる物理リソース情報内の時間リソースはスケジューリング長と呼ばれてもよい。最小スケジューリング長は、１つの第２のモードのフレームフォーマットにおける上りリンクサブフレームの長さである。実際のスケジューリング長は、基地局と端末との間の距離、又は端末がセル内で満たす必要があるカバレッジ要件に従ってもよい。基地局は少なくとも１つのスケジューリング長をサポートしてもよい。例えば、スケジューリング長D1について、ND1個の連続する上りリンクサブフレームの中で、LD1個の上りリンクサブフレームの最大カバレッジがセル内でサポートされ、スケジューリング長D2について、ND2個の連続する上りリンクサブフレームの中で、LD2個の上りリンクサブフレームの最大カバレッジがセル内でサポートされ、以下同様である。LD2個の上りリンクサブフレームのカバレッジエリアはLD1個の上りリンクサブフレームのもの以上であり、ND1及びND2は正の整数であり、ND2はND1以上であり、予め設定されてもよい。これは、本発明のこの実施例では具体的に限定されない。さらに、スケジューリング長毎に、端末が第２のタイプの端末であるときに、スケジューリング情報に含まれる物理リソース情報内の周波数リソースは１つのサブキャリアを含む。端末が第３のタイプの端末であるときに、スケジューリング情報に含まれる物理リソース情報内の周波数リソースは少なくとも１つのサブキャリア（最大で１２個のサブキャリア）を含む。
【０１６９】
任意選択で、ステップ303の後に、方法は以下のステップを更に含む。
【０１７０】
ステップ304.端末は、上りリンク制御情報又はランダムアクセス情報を基地局に送信する。
【０１７１】
具体的には、端末が第１のタイプの端末であるときに、上りリンク制御情報又はランダムアクセス情報に使用されるフレームフォーマットは第１のモードのフレームフォーマットである。第１のモードのフレームフォーマットは、少なくとも１つの上りリンクサブフレームを含み、各上りリンクサブフレームは、少なくとも１つの第１のモードのフレームフォーマットのシンボルを含む。第１のモードのフレームフォーマットのシンボルの持続時間は、第２のモードのフレームフォーマットのシンボルの持続時間の少なくとも４倍である。第２のモードのフレームフォーマットのシンボルは、LTEシステムにおけるシングルキャリア周波数分割多元接続SC-FDMAシンボルである。
【０１７２】
上りリンク制御情報UCIは、端末が下りリンク共有チャネルPDSCH上で搬送された下りリンクデータを正確に受信したか否かを確認するためのACK又はNACKを含むか、或いは下りリンクチャネル品質を反映するために使用されるチャネル状態情報CSIを含む点に留意すべきである。上りリンク制御情報は、物理上りリンク制御チャネルPUCCH上で搬送されるか、或いは上りリンク制御情報を送信するために使用され且つ第１のタイプの端末のために規定された物理チャネル上で搬送される。ランダムアクセス情報はランダムアクセスプリアンブルを含み、物理ランダムアクセスチャネルPRACH上で搬送されるか、或いは上りリンクランダムアクセス情報を送信するために使用され且つ第１のタイプの端末のために規定された物理チャネル上で搬送される。
【０１７３】
端末が第２のタイプの端末又は第３のタイプの端末であるときに、上りリンク制御情報又はランダムアクセス情報に使用されるフレームフォーマットは、第２のモードのフレームフォーマットである。第２のモードのフレームフォーマットは、FDDシステムに適用可能なフレーム構造タイプ１と、TDDシステムに適用可能なフレーム構造タイプ２とを含む。第２のモードのフレームフォーマットは１０個のサブフレームを含み、各サブフレームの長さは1ミリ秒であり、第２のモードのフレームフォーマットに対応する物理リソース情報内のサブキャリアの間の間隔は15kHzである。
【０１７４】
端末が上りリンク制御情報又はランダムアクセス情報を基地局に送信するときに、端末により送信される上りリンク制御情報又はランダムアクセス情報のフレームフォーマットは、第１のモードのフレームフォーマット又は第２のモードのフレームフォーマットでもよく、第１のモードのフレームフォーマット及び第２のモードのフレームフォーマットは、基地局により送信された下りリンク制御情報DCIから取得できるだけでなく、予め設定できる点に留意すべきである。設定した後に、第１のタイプの端末は、上りリンク制御情報又はランダムアクセス情報を送信するために第１のモードのフレームフォーマットを直接使用してもよく、或いは第２のタイプの端末又は第３のタイプの端末は、上りリンク制御情報又はランダムアクセス情報を送信するために第２のモードのフレームフォーマットを直接使用してもよい。これは、本発明のこの実施例では限定されない。
【０１７５】
例えば、第１のモードのフレームフォーマットは予め設定される。すなわち、第１のモードのフレームフォーマットは、通信システムにおいて使用される１つ又はいくつかの指定のキャリア周波数において対応して使用されるか、或いは第１のモードのフレームフォーマットは、指定の下りリンク同期信号系列又は下りリンク同期信号を送信するための指定のフォーマットについて、すなわち、具体的な時間及び／又は周波数リソースマッピング位置において対応して使用されるか、或いは第１のモードのフレームフォーマットは、下りリンクシステム情報を送信するために使用され且つ下りリンクシステム情報内に含まれるか或いは指定されるフォーマットについて、すなわち、具体的な時間及び／又は周波数リソースマッピング位置において対応して使用される。端末は、下りリンクシステム情報における指定の対応関係又は指示情報に従って第１のモードのフレームフォーマットが使用されると習得した後に、第１のフレームフォーマットを使用する上りリンク制御情報又はランダムアクセス情報を基地局に直接送信してもよい。
【０１７６】
本発明のこの実施例において提供されるスケジューリング方法によれば、基地局は、下りリンク制御情報DCIを第１のタイプの端末に送信する。DCIは、第１のモードのフレームフォーマットを使用することにより上りリンクデータを送信するように第１のタイプの端末に対して命令するために使用されるスケジューリング情報を含み、第１のモードのフレームフォーマットは、少なくとも１つの上りリンクサブフレームを含み、各上りリンクサブフレームは、少なくとも１つの第１のモードのフレームフォーマットのシンボルを含み、第１のモードのフレームフォーマットのシンボルの持続時間は、第２のモードのフレームフォーマットのシンボルの持続時間の少なくとも４倍である。第２のモードのフレームフォーマットのシンボルは、LTEシステムにおけるSC-FDMAシンボルである。基地局は、下りリンク制御情報DCIを第２のタイプの端末又は第３のタイプの端末に送信する。DCIは、第２のモードのフレームフォーマットを使用することにより上りリンクデータを送信するように第２のタイプの端末又は第３のタイプの端末に対して命令するために使用されるスケジューリング情報を含む。このように、LTEシステムにおける基地局は既存のLTE端末をサポートでき、また、TDDシステムにおいて新たに利用可能である第１のタイプの端末、第２のタイプの端末及び第３のタイプの端末もサポートできる。これは、周波数リソースを節約し、また、基地局の利用率も改善する。
【０１７７】
図２０は、本発明の実施例による基地局を示している。基地局は、プロセッサ41と、メモリ42と、システムバス43と、通信インタフェース44とを含む。
【０１７８】
当業者は、図２０に示す構造が単なる例に過ぎず、基地局の構造に対する限定として解釈されないことを理解できる。例えば、基地局は、図２０に示すものより多くの或いは少ないコンポーネントを更に含んでもよく、或いは図２０に示すものとは異なる構成を有してもよい。
【０１７９】
以下に、基地局の各構成コンポーネントについて詳細に説明する。
【０１８０】
メモリ42は、コンピュータ実行可能命令を記憶するように構成され、プロセッサ42は、システムバス43を使用することによりメモリ42に接続され、基地局が動作するときに、プロセッサ41は、メモリ42に記憶されたコンピュータ実行可能命令を実行し、それにより、基地局は、図２又は図８に示す方法において基地局により実行されるステップを実行する。具体的な方法については、図２又は図８に示す実施例における関係する説明を参照する。詳細はここでは再び説明しない。
【０１８１】
この実施例は記憶媒体を更に提供する。記憶媒体はメモリ42を含んでもよい。
【０１８２】
プロセッサ41はCPUでもよい。代替として、プロセッサ41は、他の汎用プロセッサ、DSP、ASIC、FPGA又は他のプログラム可能論理デバイス、ディスクリートゲート又はトランジスタ論理デバイス、ディスクリートハードウェアアセンブリ等でもよい。汎用プロセッサはマイクロプロセッサでもよく、或いはプロセッサはいずれかの従来のプロセッサ等でもよい。
【０１８３】
プロセッサ41は専用プロセッサでもよい。専用プロセッサは、ベースバンド処理チップ、無線周波数処理チップ等のうち少なくとも１つを含んでもよい。さらに、専用プロセッサは、基地局の他の専用処理機能を有するチップを更に含んでもよい。
【０１８４】
メモリ42は、揮発性メモリ、例えば、ランダムアクセスメモリRAMを含んでもよく、或いはメモリ42は、不揮発性メモリ、例えば、読み取り専用メモリROM、フラッシュメモリ、HDD又はSSDを含んでもよく、或いはメモリ42は前述の種類のメモリの組み合わせを含んでもよい。
【０１８５】
システムバス43は、データバス、電力バス、制御バス、信号状態バス等を含んでもよい。この実施例における明確な説明のために、図２０における様々なバスは、システムバス43として記される。
【０１８６】
通信インタフェース44は、具体的には基地局上のトランシーバでもよい。トランシーバは無線トランシーバでもよい。例えば、無線トランシーバは、基地局のアンテナ等でもよい。プロセッサ41は、通信インタフェース44を使用することにより、端末のような他のデバイスからデータを受信し、或いはデータを他のデバイスに送信する。
【０１８７】
具体的な実現プロセスにおいて、図２又は図８に示す方法のプロセスにおいて基地局により実行されるステップは、ハードウェア形式のプロセッサ41により、ソフトウェア形式のメモリ42に記憶されたコンピュータ実行可能命令を実行することにより実現されてもよい。繰り返しを回避するために、詳細はここでは繰り返されない。
【０１８８】
本発明の実施例において提供される基地局によれば、基地局は、下りリンク制御情報DCIを第１のタイプの端末に送信する。DCIは、第１のモードのフレームフォーマットを使用することにより上りリンクデータを送信するように第１のタイプの端末に対して命令するために使用されるスケジューリング情報を含み、第１のモードのフレームフォーマットは、少なくとも１つの上りリンクサブフレームを含み、各上りリンクサブフレームは、少なくとも１つの第１のモードのフレームフォーマットのシンボルを含み、第１のモードのフレームフォーマットのシンボルの持続時間は、第２のモードのフレームフォーマットのシンボルの持続時間の少なくとも４倍である。第２のモードのフレームフォーマットのシンボルは、LTEシステムにおけるSC-FDMAシンボルである。基地局は、下りリンク制御情報DCIを第２のタイプの端末又は第３のタイプの端末に送信する。DCIは、第２のモードのフレームフォーマットを使用することにより上りリンクデータを送信するように第２のタイプの端末又は第３のタイプの端末に対して命令するために使用されるスケジューリング情報を含む。このように、LTEシステムは既存のLTE端末をサポートでき、また、FDDシステム及びTDDシステムにおいて新たに利用可能である第１のタイプの端末、第２のタイプの端末及び第３のタイプの端末もサポートできる。これは、時間リソースを節約し、また、通信システムの利用率及び基地局の利用率も改善する。
【０１８９】
図２１は、本発明の実施例による端末を示している。端末は、プロセッサ51と、メモリ52と、システムバス53と、通信インタフェース54とを含む。
【０１９０】
当業者は、図２１に示す構造が単なる例に過ぎず、端末の構造に対する限定として解釈されないことを理解できる。例えば、端末は、図２１に示すものより多くの或いは少ないコンポーネントを更に含んでもよく、或いは図２１に示すものとは異なる構成を有してもよい。
【０１９１】
以下に、端末の各構成コンポーネントについて詳細に説明する。
【０１９２】
メモリ52は、コンピュータ実行可能命令を記憶するように構成され、プロセッサ51は、システムバス53を使用することによりメモリ52に接続され、端末が動作するときに、プロセッサ51は、メモリ52に記憶されたコンピュータ実行可能命令を実行し、それにより、端末は、図２又は図８に示す方法のプロセスにおいて端末により実行されるステップを実行する。具体的な方法については、図２又は図８に示す実施例における関係する説明を参照する。詳細はここでは再び説明しない。
【０１９３】
この実施例は記憶媒体を更に提供する。記憶媒体はメモリ52を含んでもよい。
【０１９４】
プロセッサ51は中央処理装置（英語：central  processing  unit,  略称：CPU）でもよい。代替として、プロセッサ51は、他の汎用プロセッサ、デジタルシグナルプロセッサ（英語：digital  signal  processing,  略称：DSP）、特定用途向け集積回路（英語：application  specific  integrated  circuit,  略称：ASIC）、フィールドプログラマブルゲートアレイ（英語：field-programmable  gate  array,  略称：FPGA）又は他のプログラム可能論理デバイス、ディスクリートゲート又はトランジスタ論理デバイス、ディスクリートハードウェアアセンブリ等でもよい。汎用プロセッサはマイクロプロセッサでもよく、或いはプロセッサはいずれかの従来のプロセッサ等でもよい。
【０１９５】
プロセッサ51は専用プロセッサでもよい。専用プロセッサは、ベースバンド処理チップ、無線周波数処理チップ等のうち少なくとも１つを含んでもよい。さらに、専用プロセッサは、端末の他の専用処理機能を有するチップを更に含んでもよい。
【０１９６】
メモリ52は、ランダムアクセスメモリ（英語：random-access  memory,  略称：RAM）のような揮発性メモリ（英語：volatile  memory）を含んでもよく、或いはメモリ52は、読み取り専用メモリ（英語：read-only  memory,  略称：ROM）、フラッシュメモリ（英語：flash  memory）、ハードディスクドライブ（英語：hard  disk  drive,  略称：HDD）又はソリッドステートドライブ（英語：solid-state  drive,  略称：SSD）のような不揮発性メモリ（英語：non-volatile  memory）を含んでもよく、或いはメモリ52は前述の種類のメモリの組み合わせを含んでもよい。
【０１９７】
システムバス53は、データバス、電力バス、制御バス、信号状態バス等を含んでもよい。この実施例における明確な説明のために、図２１における様々なバスは、システムバス53として記される。
【０１９８】
通信インタフェース54は、具体的には端末上のトランシーバでもよい。トランシーバは無線トランシーバでもよい。例えば、無線トランシーバは、端末のアンテナ等でもよい。プロセッサ51は、通信インタフェース54を使用することにより、基地局のような他のデバイスからデータを受信し、或いはデータを他のデバイスに送信する。
【０１９９】
具体的な実現プロセスにおいて、図２又は図８に示す方法のプロセスにおいて端末により実行されるステップは、ハードウェア形式のプロセッサ51により、ソフトウェア形式のメモリ52に記憶されたコンピュータ実行可能命令を実行することにより実現されてもよい。繰り返しを回避するために、詳細はここでは繰り返されない。
【０２００】
本発明のこの実施例における端末によれば、端末は、基地局により送信された下りリンク制御情報DCIを受信する。端末が第１のタイプの端末であるときに、DCIは、第１のモードのフレームフォーマットを使用することにより上りリンクデータを送信するように第１のタイプの端末に対して命令するために使用されるスケジューリング情報を含む。第１のモードのフレームフォーマットは、少なくとも１つの上りリンクサブフレームを含み、各上りリンクサブフレームは、少なくとも１つの第１のモードのフレームフォーマットのシンボルを含み、第１のモードのフレームフォーマットのシンボルの持続時間は、第２のモードのフレームフォーマットのシンボルの持続時間の少なくとも４倍である。第２のモードのフレームフォーマットのシンボルは、LTEシステムにおけるSC-FDMAシンボルである。端末が第２のタイプの端末又は第３のタイプの端末であるときに、DCIは、第２のモードのフレームフォーマットを使用することにより上りリンクデータを送信するように第２のタイプの端末又は第３のタイプの端末に対して命令するために使用されるスケジューリング情報を含む。このように、LTEシステムは既存のLTE端末をサポートでき、また、FDDシステム及びTDDシステムにおいて新たに利用可能である第１のタイプの端末、第２のタイプの端末及び第３のタイプの端末もサポートできる。これは、時間リソースを節約し、また、通信システムの利用率も改善する。
【０２０１】
最後に、前述の実施例は、単に本発明の技術的解決策を説明することを意図するものであり、本発明を限定することを意図するものではない点に留意すべきである。本発明について前述の実施例を参照して詳細に説明したが、当業者は、本発明の実施例の技術的解決策の真意及び範囲を逸脱することなく、依然として前述の実施例の技術的解決策に変更を行ってもよく、或いはそのいくつかの技術的特徴に対して等価置換を行ってもよいことを理解するべきである。
【図１】
2019503141.tif 000005
【図２】
2019503141.tif 000006
【図３】
2019503141.tif 000007
【図４】
2019503141.tif 000008
【図５】
2019503141.tif 000009
【図６】
2019503141.tif 000010
【図７】
2019503141.tif 000011
【図８】
2019503141.tif 000012
【図９】
2019503141.tif 000013
【図１０】
2019503141.tif 000014
【図１１】
2019503141.tif 000015
【図１２】
2019503141.tif 000016
【図１３】
2019503141.tif 000017
【図１４】
2019503141.tif 000018
【図１５】
2019503141.tif 000019
【図１６】
2019503141.tif 000020
【図１７】
2019503141.tif 000021
【図１８】
2019503141.tif 000022
【図１９】
2019503141.tif 000023
【図２０】
2019503141.tif 000024
【図２１】
2019503141.tif 000025
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
通信システムに適用されるスケジューリング方法であって、
基地局により、下りリンク制御情報（DCI）を第１のタイプの端末に送信するステップであり、前記DCIは、第１のモードのフレームフォーマットを使用することにより上りリンクデータを送信するように前記第１のタイプの端末に対して命令するために使用されるスケジューリング情報を含むステップを含み、
前記第１のモードのフレームフォーマットは、少なくとも１つの上りリンクサブフレームを含み、各上りリンクサブフレームは、少なくとも１つの第１のモードのフレームフォーマットのシンボルを含み、
前記第１のモードのフレームフォーマットのシンボルの持続時間は、第２のモードのフレームフォーマットのシンボルの持続時間の少なくとも４倍であり、前記第２のモードのフレームフォーマットのシンボルは、LTEシステムにおけるシングルキャリア周波数分割多元接続（SC-FDMA）シンボルである方法。
【請求項２】
前記通信システムが周波数分割複信（FDD）システムであり、上りリンクにおいて通常サイクリックプレフィクス（CP）を使用するときに、前記上りリンクサブフレームの持続時間が1ミリ秒である場合、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒未満であるか、或いは
前記通信システムがFDDシステムであり、上りリンクにおいて拡張CPを使用するときに、前記上りリンクサブフレームの持続時間が1ミリ秒である場合、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒に等しい、請求項１に記載の方法。
【請求項３】
前記通信システムがFDDシステムであるときに、前記第１のモードのフレームフォーマットの時間長はN*10ミリ秒であり、Nは1であるか或いは0より大きい偶数であり、前記第１のモードのフレームフォーマットにおける前記上りリンクサブフレームはMミリ秒であり、Mは0より大きい偶数であり、M<=N*10であり、
前記第１のモードのフレームフォーマットにおける前記上りリンクサブフレームの持続時間が2ミリ秒であり、前記通信システムが上りリンクにおいて通常CPを使用するときに、前記上りリンクサブフレームは７個の第１のモードのフレームフォーマットのシンボルを含み、前記７個の第１のモードのフレームフォーマットのシンボルの持続時間は２８個の第２のモードのフレームフォーマットのシンボルの持続時間に等しく、2ミリ秒に等しいか、或いは
前記第１のモードのフレームフォーマットにおける前記上りリンクサブフレームの持続時間が2ミリ秒であり、前記通信システムが上りリンクにおいて拡張CPを使用するときに、前記上りリンクサブフレームは６個の第１のモードのフレームフォーマットのシンボルを含み、前記６個の第１のモードのフレームフォーマットのシンボルの持続時間は２４個の第２のモードのフレームフォーマットのシンボルの持続時間に等しく、2ミリ秒に等しい、請求項１に記載の方法。
【請求項４】
前記通信システムが時分割複信TDDシステムであるときに、前記第１のモードのフレームフォーマットは、少なくとも１つのスペシャルサブフレームと、少なくとも１つの下りリンクサブフレームとを含み、前記スペシャルサブフレームは、下りリンクパイロットタイムスロット（DwPTS）、上りリンクパイロットタイムスロット（UpPTS）又はガード期間（GP）のうち少なくとも１つを含む、請求項１に記載の方法。
【請求項５】
前記通信システムがTDDシステムであるときに、各上りリンクサブフレームは、前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が1ミリ秒であるときに、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒未満であるか、或いは
前記通信システムが上りリンクにおいて拡張CPを使用し、前記上りリンクサブフレームの持続時間が1ミリ秒であるときに、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒に等しい、請求項４に記載の方法。
【請求項６】
前記通信システムがTDDシステムであるときに、5ミリ秒の周期が前記第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が2ミリ秒であるときに、前記上りリンクサブフレームは７個の第１のモードのフレームフォーマットのシンボルを含み、前記７個の第１のモードのフレームフォーマットのシンボルの持続時間は２８個の第２のモードのフレームフォーマットのシンボルの持続時間に等しく、2ミリ秒に等しいか、或いは
前記通信システムが上りリンクにおいて拡張CPを使用し、前記上りリンクサブフレームの持続時間が2ミリ秒であるときに、前記上りリンクサブフレームは６個の第１のモードのフレームフォーマットのシンボルを含み、前記６個の第１のモードのフレームフォーマットのシンボルの持続時間は２４個の第２のモードのフレームフォーマットのシンボルの持続時間に等しく、2ミリ秒に等しい、請求項４に記載の方法。
【請求項７】
前記通信システムがTDDシステムであるときに、5ミリ秒の周期が前記第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が3ミリ秒であるときに、前記上りリンクサブフレームは１０個の第１のモードのフレームフォーマットのシンボルを含み、前記１０個の第１のモードのフレームフォーマットのシンボルの持続時間は４０個の第２のモードのフレームフォーマットのシンボルの持続時間に等しく、3ミリ秒未満であるか、或いは
前記通信システムが上りリンクにおいて拡張CPを使用し、前記上りリンクサブフレームの持続時間が3ミリ秒であるときに、前記上りリンクサブフレームは９個の第１のモードのフレームフォーマットのシンボルを含み、前記９個の第１のモードのフレームフォーマットのシンボルの持続時間は３６個の第２のモードのフレームフォーマットのシンボルの持続時間に等しく、3ミリ秒に等しい、請求項４に記載の方法。
【請求項８】
上りリンク復調参照信号は、前記少なくとも１つの上りリンクサブフレーム内の前記少なくとも１つの第１のモードのフレームフォーマットのシンボル上で送信される、請求項１乃至７のうちいずれか１項に記載の方法。
【請求項９】
1ミリ秒の時間長内に含まれる第１のモードのフレームフォーマットのシンボルのうち最後の第１のモードのフレームフォーマットのシンボルが前記1ミリ秒の時間長内の最後の第２のモードのフレームフォーマットのシンボルと部分的に或いは完全に重複するときに、上りリンク信号又はチャネルは、前記1ミリ秒の時間長内の前記最後の第１のモードのフレームフォーマットのシンボル上で送信されない、請求項１乃至８のうちいずれか１項に記載の方法。
【請求項１０】
前記第２のモードのフレームフォーマットは、前記TDDシステムに適用可能なフレーム構造タイプ２を含み、前記フレーム構造タイプ２は、１つのスペシャルサブフレームと、複数の下りリンクサブフレームと、複数の上りリンクサブフレームとを含み、前記スペシャルサブフレーム、各下りリンクサブフレーム及び各上りリンクサブフレームのそれぞれの持続時間は1ミリ秒であり、前記スペシャルサブフレームは、下りリンクパイロットタイムスロット（DwPTS）と、上りリンクパイロットタイムスロット（UpPTS）と、ガード期間GPとを含み、前記第１のモードのフレームフォーマットがUpPTSを含み、前記第１のモードのフレームフォーマットにおける前記UpPTSの長さが前記フレーム構造タイプ２における前記UpPTSの長さ以下であるときに、上りリンク信号又はチャネルは、前記第１のモードのフレームフォーマットに含まれる前記UpPTS内で送信されない、請求項４乃至９のうちいずれか１項に記載の方法。
【請求項１１】
前記第２のモードのフレームフォーマットが利用不可能な上りリンクサブフレームを含むときに、上りリンク信号又はチャネルは、前記第２のモードのフレームフォーマットにおける前記利用不可能な上りリンクサブフレームの持続時間内の対応する第１のモードのフレームフォーマットのシンボル上で送信されない、請求項１乃至１０のうちいずれか１項に記載の方法。
【請求項１２】
前記基地局により、下りリンク制御情報DCIを第２のタイプの端末又は第３のタイプの端末に送信するステップであり、前記DCIは、第２のモードのフレームフォーマットを使用することにより上りリンクデータを送信するように前記第２のタイプの端末又は前記第３のタイプの端末に対して命令するために使用されるスケジューリング情報を含むステップを更に含み、
前記第２のモードのフレームフォーマットは、FDDシステムに適用可能なフレーム構造タイプ１と、TDDシステムに適用可能なフレーム構造タイプ２とを含み、前記第２のモードのフレームフォーマットは１０個のサブフレームを含み、各サブフレームの長さは1ミリ秒であり、前記第２のモードのフレームフォーマットに対応する物理リソース情報内のサブキャリアの間の間隔は15kHzである、請求項１乃至１１のうちいずれか１項に記載の方法。
【請求項１３】
端末が前記第１のタイプの端末であるときに、前記スケジューリング情報は、前記上りリンクデータが前記第１のモードのフレームフォーマットを使用することにより送信されるときに使用される物理リソース情報を含み、前記物理リソース情報は時間リソース及び周波数リソースを含み、前記時間リソースは少なくとも１つの上りリンクサブフレームを含み、前記周波数リソースは１つのサブキャリアを含むか、或いは
前記端末が前記第２のタイプの端末又は前記第３のタイプの端末であるときに、前記スケジューリング情報は、前記上りリンクデータが前記第２のモードのフレームフォーマットを使用することにより送信されるときに使用される物理リソース情報を含み、前記物理リソース情報は時間リソース及び周波数リソースを含み、前記時間リソースは少なくとも１つの上りリンクサブフレームを含み、前記周波数リソースは１つ以上のサブキャリア（最大で１２個のサブキャリア）を含む、請求項１乃至１２のうちいずれか１項に記載の方法。
【請求項１４】
データ伝送方法であって、
端末により、上りリンク制御情報又はランダムアクセス情報を基地局に送信するステップであり、前記端末は第１のタイプの端末であり、前記上りリンク制御情報又は前記ランダムアクセス情報を送信するために使用されるフレームフォーマットは第１のモードのフレームフォーマットであるステップを含み、
前記第１のモードのフレームフォーマットは、少なくとも１つの上りリンクサブフレームを含み、各上りリンクサブフレームは、少なくとも１つの第１のモードのフレームフォーマットのシンボルを含み、
前記第１のモードのフレームフォーマットのシンボルの持続時間は、第２のモードのフレームフォーマットのシンボルの持続時間の少なくとも４倍であり、前記第２のモードのフレームフォーマットのシンボルは、LTEシステムにおけるシングルキャリア周波数分割多元接続SC-FDMAシンボルである方法。
【請求項１５】
端末により、上りリンク制御情報を基地局に送信する前に、
前記端末により、前記基地局により送信された下りリンク制御情報DCIを受信するステップであり、前記DCIは、前記第１のモードのフレームフォーマットを使用することにより上りリンクデータを送信するように前記第１のタイプの端末に対して命令するために使用されるスケジューリング情報を含むステップを更に含む、請求項１４に記載の方法。
【請求項１６】
通信システムが周波数分割複信（FDD）システムであり、上りリンクにおいて通常サイクリックプレフィクス（CP）を使用するときに、前記上りリンクサブフレームの持続時間が1ミリ秒である場合、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒未満であるか、或いは
前記通信システムがFDDシステムであり、上りリンクにおいて拡張CPを使用するときに、前記上りリンクサブフレームの持続時間が1ミリ秒である場合、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒に等しい、請求項１４又は１５に記載の方法。
【請求項１７】
前記通信システムがFDDシステムであるときに、前記第１のモードのフレームフォーマットの時間長はN*10ミリ秒であり、Nは1であるか或いは0より大きい偶数であり、前記第１のモードのフレームフォーマットにおける前記上りリンクサブフレームはMミリ秒であり、Mは0より大きい偶数であり、M<=N*10であり、
前記第１のモードのフレームフォーマットにおける前記上りリンクサブフレームの持続時間が2ミリ秒であり、前記通信システムが上りリンクにおいて通常CPを使用するときに、前記上りリンクサブフレームは７個の第１のモードのフレームフォーマットのシンボルを含み、前記７個の第１のモードのフレームフォーマットのシンボルの持続時間は２８個の第２のモードのフレームフォーマットのシンボルの持続時間に等しく、2ミリ秒に等しいか、或いは
前記第１のモードのフレームフォーマットにおける前記上りリンクサブフレームの持続時間が2ミリ秒であり、前記通信システムが上りリンクにおいて拡張CPを使用するときに、前記上りリンクサブフレームは６個の第１のモードのフレームフォーマットのシンボルを含み、前記６個の第１のモードのフレームフォーマットのシンボルの持続時間は２４個の第２のモードのフレームフォーマットのシンボルの持続時間に等しく、2ミリ秒に等しい、請求項１４又は１５に記載の方法。
【請求項１８】
前記通信システムが時分割複信（TDD）システムであるときに、前記第１のモードのフレームフォーマットは、少なくとも１つのスペシャルサブフレームと、少なくとも１つの下りリンクサブフレームとを含み、前記スペシャルサブフレームは、下りリンクパイロットタイムスロット（DwPTS）、上りリンクパイロットタイムスロット（UpPTS）又はガード期間（GP）のうち少なくとも１つを含む、請求項１４又は１５に記載の方法。
【請求項１９】
前記通信システムが前記TDDシステムであるときに、各上りリンクサブフレームは、前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が1ミリ秒であるときに、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒未満であるか、或いは
前記通信システムが上りリンクにおいて拡張CPを使用し、前記上りリンクサブフレームの持続時間が1ミリ秒であるときに、前記上りリンクサブフレームは３つの第１のモードのフレームフォーマットのシンボルを含み、前記３つの第１のモードのフレームフォーマットのシンボルの持続時間は１２個の第２のモードのフレームフォーマットのシンボルの持続時間に等しく、1ミリ秒に等しい、請求項１８に記載の方法。
【請求項２０】
前記通信システムが前記TDDシステムであるときに、5ミリ秒の周期が前記第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が2ミリ秒であるときに、前記上りリンクサブフレームは７個の第１のモードのフレームフォーマットのシンボルを含み、前記７個の第１のモードのフレームフォーマットのシンボルの持続時間は２８個の第２のモードのフレームフォーマットのシンボルの持続時間に等しく、2ミリ秒に等しいか、或いは
前記通信システムが上りリンクにおいて拡張CPを使用し、前記上りリンクサブフレームの持続時間が2ミリ秒であるときに、前記上りリンクサブフレームは６個の第１のモードのフレームフォーマットのシンボルを含み、前記６個の第１のモードのフレームフォーマットのシンボルの持続時間は２４個の第２のモードのフレームフォーマットのシンボルの持続時間に等しく、2ミリ秒に等しい、請求項１８に記載の方法。
【請求項２１】
前記通信システムが前記TDDシステムであるときに、5ミリ秒の周期が前記第１のモードのフレームフォーマットにおける下りリンクから上りリンクへの切り替え点に使用され、１つの下りリンクサブフレーム、１つのスペシャルサブフレーム及び少なくとも１つの上りリンクサブフレームが5ミリ秒の時間長内に含まれ、各上りリンクサブフレームは前記少なくとも１つの第１のモードのフレームフォーマットのシンボルを含み、各スペシャルサブフレームの時間長は1ミリ秒であり、
前記通信システムが上りリンクにおいて通常CPを使用し、前記上りリンクサブフレームの持続時間が3ミリ秒であるときに、前記上りリンクサブフレームは１０個の第１のモードのフレームフォーマットのシンボルを含み、前記１０個の第１のモードのフレームフォーマットのシンボルの持続時間は４０個の第２のモードのフレームフォーマットのシンボルの持続時間に等しく、3ミリ秒未満であるか、或いは
前記通信システムが上りリンクにおいて拡張CPを使用し、前記上りリンクサブフレームの持続時間が3ミリ秒であるときに、前記上りリンクサブフレームは９個の第１のモードのフレームフォーマットのシンボルを含み、前記９個の第１のモードのフレームフォーマットのシンボルの持続時間は３６個の第２のモードのフレームフォーマットのシンボルの持続時間に等しく、3ミリ秒に等しい、請求項１８に記載の方法。
【請求項２２】
上りリンク復調参照信号は、前記少なくとも１つの上りリンクサブフレーム内の前記少なくとも１つの第１のモードのフレームフォーマットのシンボル上で送信される、請求項１４乃至２１のうちいずれか１項に記載の方法。
【請求項２３】
1ミリ秒の時間長内に含まれる第１のモードのフレームフォーマットのシンボルのうち最後のシンボルが前記1ミリ秒の時間長内の最後の第２のモードのフレームフォーマットのシンボルと部分的に或いは完全に重複するときに、上りリンク信号又はチャネルは、前記1ミリ秒の時間長内の前記最後の第１のモードのフレームフォーマットのシンボル上で送信されない、請求項１４乃至２２のうちいずれか１項に記載の方法。
【請求項２４】
前記第２のモードのフレームフォーマットは、前記TDDシステムに適用可能なフレーム構造タイプ２を含み、前記フレーム構造タイプ２は、１つのスペシャルサブフレームと、複数の下りリンクサブフレームと、複数の上りリンクサブフレームとを含み、前記スペシャルサブフレーム、各下りリンクサブフレーム及び各上りリンクサブフレームのそれぞれの持続時間は1ミリ秒であり、前記スペシャルサブフレームは、下りリンクパイロットタイムスロットDwPTSと、上りリンクパイロットタイムスロットUpPTSと、ガード期間GPとを含み、前記第１のモードのフレームフォーマットがUpPTSを含み、前記第１のモードのフレームフォーマットにおける前記UpPTSの長さが前記フレーム構造タイプ２における前記UpPTSの長さ以下であるときに、上りリンク信号又はチャネルは、前記第１のモードのフレームフォーマットに含まれる前記UpPTS内で送信されない、請求項１８乃至２３のうちいずれか１項に記載の方法。
【請求項２５】
前記第２のモードのフレームフォーマットが利用不可能な上りリンクサブフレームを含むときに、上りリンク信号又はチャネルは、前記第２のモードのフレームフォーマットにおける前記利用不可能な上りリンクサブフレームの持続時間内の対応する第１のモードのフレームフォーマットのシンボル上で送信されない、請求項１４乃至２４のうちいずれか１項に記載の方法。
【請求項２６】
前記端末が第２のタイプの端末又は第３のタイプの端末であるときに、前記上りリンク制御情報又は前記ランダムアクセス情報に使用されるフレームフォーマットは、第２のモードのフレームフォーマットであり、前記第２のモードのフレームフォーマットは、FDDシステムに適用可能なフレーム構造タイプ１と、TDDシステムに適用可能なフレーム構造タイプ２とを含み、前記第２のモードのフレームフォーマットは１０個のサブフレームを含み、各サブフレームの長さは1ミリ秒であり、前記第２のモードのフレームフォーマットに対応する物理リソース情報内のサブキャリアの間の間隔は15kHzである、請求項１４乃至２５のうちいずれか１項に記載の方法。
【請求項２７】
端末により、上りリンク制御情報を基地局に送信する前に、
前記端末により、前記基地局により送信された下りリンク制御情報DCIを受信するステップであり、前記DCIは、前記第２のモードのフレームフォーマットを使用することにより上りリンクデータを送信するように前記第２のタイプの端末又は前記第３のタイプの端末に対して命令するために使用されるスケジューリング情報を含むステップを更に含む、請求項２６に記載の方法。
【請求項２８】
前記端末が前記第１のタイプの端末であるときに、前記スケジューリング情報は、前記上りリンクデータが前記第１のモードのフレームフォーマットを使用することにより送信されるときに使用される物理リソース情報を含み、前記物理リソース情報は時間リソース及び周波数リソースを含み、前記時間リソースは少なくとも１つの上りリンクサブフレームを含み、前記周波数リソースは１つのサブキャリアを含むか、或いは
前記端末が前記第２のタイプの端末又は前記第３のタイプの端末であるときに、前記スケジューリング情報は、前記上りリンクデータが前記第２のモードのフレームフォーマットを使用することにより送信されるときに使用される物理リソース情報を含み、前記物理リソース情報は時間リソース及び周波数リソースを含み、前記時間リソースは少なくとも１つの上りリンクサブフレームを含み、前記周波数リソースは１つ以上のサブキャリア（最大で１２個のサブキャリア）を含む、請求項１４乃至２７のうちいずれか１項に記載の方法。
【請求項２９】
プロセッサと、メモリと、システムバスと、通信インタフェースとを含む基地局であって、
前記メモリは、コンピュータ実行可能命令を記憶するように構成され、前記プロセッサは、前記システムバスを使用することにより前記メモリに接続され、前記基地局が動作するときに、前記プロセッサは、前記メモリに記憶された前記コンピュータ実行可能命令を実行し、それにより、前記基地局は、請求項１乃至１３のうちいずれか１項に記載のスケジューリング方法を実行する基地局。
【請求項３０】
プロセッサと、メモリと、システムバスと、通信インタフェースとを含む端末であって、
前記メモリは、コンピュータ実行可能命令を記憶するように構成され、前記プロセッサは、前記システムバスを使用することにより前記メモリに接続され、前記端末が動作するときに、前記プロセッサは、前記メモリに記憶された前記コンピュータ実行可能命令を実行し、それにより、前記端末は、請求項１４乃至２８のうちいずれか１項に記載のデータ伝送方法を実行する端末。
【手続補正２】
【補正対象書類名】明細書
【補正対象項目名】０００２
【補正方法】変更
【補正の内容】
【０００２】
現在、ロングタームエボリューション（Long  Term  Evolution,  LTE）システムでは、ユーザ装置（user  equipment,  UE）は、下りリンクサブフレーム内で下りリンク制御情報（downlink  control  information,  DCI）を検出する。DCIは、UEにより物理上りリンク共有チャネル（physical  uplink  shared  channel,  PUSCH）を送信するために使用されるスケジューリング情報、及びUEにより物理下りリンク共有チャネル（physical  downlink  shared  channel,  PDSCH）を受信するために使用されるスケジューリング情報、例えば、周波数ドメインにおいて使用される物理リソースブロック数、使用される変調及び符号化方式又は変調方式、及び搬送されるトランスポートブロックに含まれるビット数を含む。PUSCHは、主に端末により送信される上りリンクデータを搬送し、シングルキャリア周波数分割多元接続（single  carrier  frequency  division  multiple  access,  SC-FDMA）のフォーマットを使用することにより送信される。周波数ドメインにおける最小スケジューリング粒度は１つの物理リソースブロックPRBであり、１つのPRBは周波数ドメインにおいて１２個の直交サブキャリアを含み、サブキャリア間隔は15kHzである。したがって、１つのPRBは180kHzの周波数リソースを含む。
【手続補正３】
【補正対象書類名】明細書
【補正対象項目名】０００４
【補正方法】変更
【補正の内容】
【０００４】
しかし、LTEシステムの最小スケジューリング粒度は１つのPRBであり、単一のサブキャリア又は複数のサブキャリアの粒度のスケジューリングはサポートされていないため、３つのタイプの端末のいずれも、既存のLTEシステムにおいてサポートできない。例えば、第１のタイプの端末が3.75kHzのサブキャリア間隔での単一のサブキャリア又は3.75kHzのサブチャネル帯域幅での単一のサブチャネル上で信号を送信した場合、時間ドメインにおける信号の長さは、15kHzの単一のサブキャリア上で送信される信号の長さの少なくとも４倍である。LTEシステムにおけるフレーム構造は、15kHzのサブキャリア間隔に従って設計されている。したがって、第１のタイプの端末はサポートされない。したがって、スケジューリング方法、データ伝送方法及び装置が緊急に必要である。
【手続補正４】
【補正対象書類名】明細書
【補正対象項目名】０００７
【補正方法】変更
【補正の内容】
【０００７】
第１の態様によれば、スケジューリング方法が提供され、通信システムに適用され、方法は、
基地局により、下りリンク制御情報（DCI）を第１のタイプの端末に送信するステップであり、DCIは、第１のモードのフレームフォーマットを使用することにより上りリンクデータを送信するように第１のタイプの端末に対して命令するために使用されるスケジューリング情報を含むステップを含み、
第１のモードのフレームフォーマットは、少なくとも１つの上りリンクサブフレームを含み、各上りリンクサブフレームは、少なくとも１つの第１のモードのフレームフォーマットのシンボルを含み、
第１のモードのフレームフォーマットのシンボルの持続時間は、第２のモードのフレームフォーマットのシンボルの持続時間の少なくとも４倍であり、第２のモードのフレームフォーマットのシンボルは、LTEシステムにおけるシングルキャリア周波数分割多元接続（SC-FDMA）シンボルである。
【手続補正５】
【補正対象書類名】明細書
【補正対象項目名】０００８
【補正方法】変更
【補正の内容】
【０００８】
LTEシステムの上りリンク構成が通常サイクリックプレフィクス（CP）であるときに、各上りリンクサブフレームは1ミリ秒の持続時間を有し、１４個のSC-FDMAシンボルを含む。したがって、LTEシステムにおける各SC-FDMAシンボルは、通常サイクリックプレフィクスを含み、平均で1/14ミリ秒の持続時間を有する。LTEシステムにおける各上りリンクサブフレームに含まれるSC-FDMAシンボルの持続時間は異なってもよい点に留意すべきである。例えば、各上りリンクサブフレームに含まれる１４個のSC-FDMAシンボルの中で、２つのロングSC-FDMAシンボルが存在し、各ロングSC-FDMAシンボルの持続時間は71.88ミリ秒であり、１２個のショートSC-FDMAシンボルが存在し、各ショートSC-FDMAシンボルの持続時間は71.35ミリ秒である。LTEシステムの上りリンク構成が拡張サイクリックプレフィクスCPであるときに、各上りリンクサブフレームは1ミリ秒の持続時間を有し、同じ持続時間を有する１２個のSC-FMDAシンボルを含む。したがって、LTEシステムにおける各SC-FDMAシンボルは、拡張サイクリックプレフィクスを含み、1/12ミリ秒の持続時間を有する。
【手続補正６】
【補正対象書類名】明細書
【補正対象項目名】００１１
【補正方法】変更
【補正の内容】
【００１１】
第１の態様を参照して、第１の態様の第１の可能な実現方式では、方法は、
基地局により、下りリンク制御情報（DCI）を第２のタイプの端末又は第３のタイプの端末に送信するステップであり、DCIは、第２のモードのフレームフォーマットを使用することにより上りリンクデータを送信するように第２のタイプの端末又は第３のタイプの端末に対して命令するために使用されるスケジューリング情報を含むステップを更に含み、
第２のモードのフレームフォーマットは、FDDシステムに適用可能なフレーム構造タイプ１と、TDDシステムに適用可能なフレーム構造タイプ２とを含み、第２のモードのフレームフォーマットにおける各無線フレームは１０個のサブフレームを含み、各サブフレームの長さは1ミリ秒であり、第２のモードのフレームフォーマットに対応する物理リソース情報内のサブキャリアの間の間隔は15kHzである。
【手続補正７】
【補正対象書類名】明細書
【補正対象項目名】００１２
【補正方法】変更
【補正の内容】
【００１２】
例えば、下りリンク制御情報（DCI）は、上りリンクデータを送信するように端末に対して命令するために使用されるスケジューリング情報を含み、周波数ドメインにおいて使用されるサブキャリア数、使用される変調及び符号化方式若しくは変調方式、又は搬送されるトランスポートブロックに含まれるビット数のうち少なくとも１つを含む。
【手続補正８】
【補正対象書類名】明細書
【補正対象項目名】００１３
【補正方法】変更
【補正の内容】
【００１３】
シングルキャリア周波数分割多元接続SC-FDMAが上りリンクにおいて使用されるときに、第１のモードのフレームフォーマットのシンボルはSC-FDMAシンボルでもよく、或いはFDMA周波数分割多元接続が上りリンクにおいて使用されるときに、第１のモードのフレームフォーマットのシンボルはFDMAシンボルでもよい点に留意すべきである。これは、本発明のこの実施例では具体的に限定されない。さらに、第１のモードのフレームフォーマットのシンボルは、サイクリックプレフィクス（CP）が追加されたシンボルでもよく、或いはCPが追加されていないシンボルでもよい。第２のモードのフレームフォーマットのシンボルは、サイクリックプレフィクスCPが追加されたシンボルでもよく、或いはCPが追加されていないシンボルでもよい。
【手続補正９】
【補正対象書類名】明細書
【補正対象項目名】００１４
【補正方法】変更
【補正の内容】
【００１４】
通信システムは、周波数分割複信（frequency  division  duplex,  FDD）システムでもよく、或いは時分割複信（time  division  duplex,  TDD）システムでもよい。したがって、第２のモードのフレームフォーマットは、FDDシステムに適用可能なフレーム構造タイプ１と、TDDシステムに適用可能なフレーム構造タイプ２とを含む。さらに、第１のモードのフレームフォーマットは、FDD通信システムとTDD通信システムとの間で変化する。
【手続補正１０】
【補正対象書類名】明細書
【補正対象項目名】００１７
【補正方法】変更
【補正の内容】
【００１７】
第１の態様又は第１の態様の第１の可能な実現方式を参照して、第１の態様の第２の可能な実現方式では、端末が第１のタイプの端末であるときに、スケジューリング情報は、上りリンクデータが第１のモードのフレームフォーマットを使用することにより送信されるときに使用される物理リソース情報を含み、物理リソース情報は時間リソース及び周波数リソースを含み、時間リソースは少なくとも１つの上りリンクサブフレームを含み、周波数リソースは１つのサブキャリアを含むか、或いは
端末が第２のタイプの端末又は第３のタイプの端末であるときに、スケジューリング情報は、上りリンクデータが第２のモードのフレームフォーマットを使用することにより送信されるときに使用される物理リソース情報を含み、物理リソース情報は時間リソース及び周波数リソースを含み、時間リソースは少なくとも１つの上りリンクサブフレームを含み、周波数リソースは１つ以上のサブキャリア（最大で１２個のサブキャリア）を含む。具体的には、端末が第２のタイプの端末であるときに、周波数リソースは１つのサブキャリアを含む。端末が第３のタイプの端末であるときに、周波数リソースは１つ以上のサブキャリア（最大で１２個のサブキャリア）を含む。
【手続補正１１】
【補正対象書類名】明細書
【補正対象項目名】００２０
【補正方法】変更
【補正の内容】
【００２０】
任意選択で、第１のモードのフレームフォーマットは予め設定される。例えば、第１のモードのフレームフォーマットは、システムにおいて使用される１つ又はいくつかの指定のキャリア周波数において対応して使用されるか、或いは第１のモードのフレームフォーマットは、指定の下りリンク同期信号系列又は下りリンク同期信号を送信するための指定のフォーマットについて、すなわち、具体的な時間及び／又は周波数リソースマッピング位置において対応して使用されるか、或いは第１のモードのフレームフォーマットは、下りリンクシステム情報を送信するために使用され且つ下りリンクシステム情報内に含まれるか或いは指定されるフォーマットについて、すなわち、具体的な時間及び／又は周波数リソースマッピング位置において対応して使用される。端末は、下りリンクシステム情報における指定の対応関係又は指示情報に従って第１のモードのフレームフォーマットが使用されると習得した後に、第１のモードのフレームフォーマットを使用する上りリンク制御情報又はランダムアクセス情報を基地局に直接送信してもよい。
【手続補正１２】
【補正対象書類名】明細書
【補正対象項目名】００４８
【補正方法】変更
【補正の内容】
【００４８】
任意選択で、1ミリ秒の時間長内に含まれる第１のモードのフレームフォーマットのシンボルのうち最後の第１のモードのフレームフォーマットのシンボルが1ミリ秒の時間長内の最後の第２のモードのフレームフォーマットのシンボルと部分的に或いは完全に重複するときに、上りリンク信号又はチャネルは、1ミリ秒の時間長内の最後の第１のモードのフレームフォーマットのシンボル上で送信されない。第１のモードのフレームフォーマットのシンボルが通常CPを含むシンボルであるときに、第２のモードのフレームフォーマットのシンボルは、通常CPを含むSC-FDMAシンボルである。第１のモードのフレームフォーマットのシンボルが拡張CPを含むシンボルであるときに、第２のモードのフレームフォーマットのシンボルは、拡張CPを含むSC-FDMAシンボルである。第１のモードのフレームフォーマットのシンボルがCPを含まないシンボルであるときに、第２のモードのフレームフォーマットのシンボルは、CPを含まないSC-FDMAシンボルである。
【手続補正１３】
【補正対象書類名】明細書
【補正対象項目名】００５１
【補正方法】変更
【補正の内容】
【００５１】
任意選択で、第２のモードのフレームフォーマットが利用不可能な上りリンクサブフレームを含むときに、上りリンク信号又はチャネルは、第２のモードのフレームフォーマットにおける利用不可能な上りリンクサブフレームの持続時間内の対応する第１のモードのフレームフォーマットのシンボル上で送信されない。利用不可能な上りリンクサブフレームは１つ以上の上りリンクサブフレームであり、各上りリンクサブフレームの持続時間は1ミリ秒である。利用不可能な上りリンクサブフレームは、利用不可能な上りリンクサブフレーム内の全部又は一部の周波数リソースが予約リソースであることを意味する。予約リソースは、特別な端末の間、或いは特別な通信システムによりサポートされる端末及び基地局の間、或いは特別な通信システムによりサポートされる端末の間の通信に使用される。予約リソースは、特別でない端末の間、或いは特別でない通信システムによりサポートされる端末及び基地局の間、或いは特別でない通信システムによりサポートされる端末の間の通信には使用できない。例えば、LTEシステムにおける利用不可能な上りリンクサブフレーム内の全部又は一部の周波数リソースは予約リソースであり、このような特別なシステムにおけるデバイスの間の通信に使用される。予約リソースは、利用不可能な上りリンクサブフレーム内で一般のLTE端末により使用できない。
【手続補正１４】
【補正対象書類名】明細書
【補正対象項目名】００５６
【補正方法】変更
【補正の内容】
【００５６】
メモリは、コンピュータ実行可能命令を記憶するように構成され、プロセッサは、システムバスを使用することによりメモリに接続され、端末が動作するときに、プロセッサは、メモリに記憶されたコンピュータ実行可能命令を実行し、それにより、端末は、第２の態様又は第２の態様の第１〜第４の可能な実現方式のうちいずれか１つによるデータ伝送方法を実行する。
【手続補正１５】
【補正対象書類名】明細書
【補正対象項目名】００５８
【補正方法】変更
【補正の内容】
【００５８】
【図１】本発明の実施例による通信システムのシステムアーキテクチャ図である。
【図２】本発明の実施例によるスケジューリング方法の概略フローチャートである。
【図３】本発明の実施例による第２のモードのフレーム構造の概略構造図である。
【図４】本発明の実施例による第１のタイプの第１のモードのフレーム構造の概略構造図である。
【図５】本発明の実施例による第２のタイプの第１のモードのフレーム構造の概略構造図である。
【図６】本発明の実施例による第３のタイプの第１のモードのフレーム構造の概略構造図である。
【図７】本発明の実施例による第４のタイプの第１のモードのフレーム構造の概略構造図である。
【図８】本発明の実施例による他のスケジューリング方法の概略フローチャートである。
【図９】本発明の実施例による他の第２のモードのフレーム構造の概略構造図である。
【図１０】本発明の実施例による第５のタイプの第１のモードのフレーム構造の概略構造図である。
【図１１】本発明の実施例による第６のタイプの第１のモードのフレーム構造の概略構造図である。
【図１２】本発明の実施例による第７のタイプの第１のモードのフレーム構造の概略構造図である。
【図１３】本発明の実施例による第８のタイプの第１のモードのフレーム構造の概略構造図である。
【図１４】本発明の実施例による第９のタイプの第１のモードのフレーム構造の概略構造図である。
【図１５】本発明の実施例による第１０のタイプの第１のモードのフレーム構造の概略構造図である。
【図１６】本発明の実施例による第１１のタイプの第１のモードのフレーム構造の概略構造図である。
【図１７】本発明の実施例による第１２のタイプの第１のモードのフレーム構造の概略構造図である。
【図１８】本発明の実施例による第１３のタイプの第１のモードのフレーム構造の概略構造図である。
【図１９】本発明の実施例による第１４のタイプの第１のモードのフレーム構造の概略構造図である。
【図２０】本発明の実施例による基地局の概略構造図である。
【図２１】本発明の実施例による端末の概略構造図である。
【手続補正１６】
【補正対象書類名】明細書
【補正対象項目名】００５９
【補正方法】削除
【補正の内容】
【手続補正１７】
【補正対象書類名】明細書
【補正対象項目名】００６１
【補正方法】変更
【補正の内容】
【００６１】
本発明の実施例におけるユーザ端末タイプは、既存のLTE端末と、新たに利用可能な端末とを主に含む。既存のLTE端末は、上りリンク方式においてSC-FDMAを用いて15kHzのサブキャリア間隔で直交サブキャリアを送信できる。最小スケジューリング粒度は、１２個の直交サブキャリアを含む１つのPRB、すなわち、180kHzである。単一のサブキャリア又は複数のサブキャリアの粒度のスケジューリングはサポートされない。主に３つのタイプの新たに利用可能な端末が存在する。第１のタイプの端末は、上りリンク方式においてSC-FDMAを用いて3.75kHzの直交サブキャリア間隔で単一のサブキャリアを送信でき、或いは上りリンク方式においてFDMAを用いて3.75kHzのサブチャネル帯域幅で単一のサブチャネルを送信できる。第２のタイプの端末は、上りリンク方式においてSC-FDMAを用いて15kHzの直交サブキャリア間隔で単一のサブキャリアを送信できる。第３のタイプの端末は、上りリンク方式においてSC-FDMAを用いて15kHzの直交サブキャリア間隔で複数のサブキャリアを送信できる。明らかに、３つのタイプの端末は、１つのタイプの端末でもよい。このタイプの端末は、３つのタイプの端末の１つ又は２つ又は３つの機能を有する。さらに、３つのタイプの端末の全ては、下りリンクにおいて直交周波数分割多元接続（orthogonal  frequency  division  multiple  access,  OFDMA）技術をサポートし、サブキャリア間隔は15kHzである。３つのタイプの端末は、３つの異なるタイプの端末でもよく、或いは異なる端末の１つ又は２つ又は３つの能力を有する１つのタイプの端末でもよい。説明を簡単にするために、端末は、併せて３つのタイプの端末と呼ばれる。端末タイプ及び端末能力は、本発明では具体的に限定されない。さらに、３つのタイプの端末は、モノのインターネット通信に主に使用される。したがって、３つのタイプの新たに利用可能な端末をサポートするシステムは、狭帯域のモノのインターネット（narrowband  Internet  of  Things,  NBIOT）システムと呼ばれてもよい。
【手続補正１８】
【補正対象書類名】明細書
【補正対象項目名】００６３
【補正方法】変更
【補正の内容】
【００６３】
本発明の実施例において使用される通信システムのシステムアーキテクチャが図１に示される。システムアーキテクチャは、基地局101と、ユーザ端末102と、通信チャネル103とを含む。
【手続補正１９】
【補正対象書類名】明細書
【補正対象項目名】００６６
【補正方法】変更
【補正の内容】
【００６６】
データは、通信チャネル103を使用することにより基地局101とユーザ端末102との間で受信及び送信される。通信チャネル103は、無線通信チャネルでもよい。無線通信チャネルは、少なくとも共有チャネル及びスケジューリング制御チャネルを含む。共有チャネルは、パケットデータを送信及び受信するために複数のユーザ端末102の間で共有される。スケジューリング制御チャネルは、共有チャネルの割り当て、対応するスケジューリング結果等を送信するために使用される。
【手続補正２０】
【補正対象書類名】明細書
【補正対象項目名】００８２
【補正方法】変更
【補正の内容】
【００８２】
すなわち、第１のモードのフレームフォーマットが１つの上りリンクサブフレームを含み、上りリンクサブフレームが少なくとも１つの第１のモードのフレームフォーマットのシンボルを含むときに、上りリンク復調参照信号は、少なくとも１つの第１のモードのフレームフォーマットのシンボルのうち１つ以上の上で送信されてもよく、或いは第１のモードのフレームフォーマットが複数の上りリンクサブフレーム、すなわち、２つ以上の上りリンクサブフレームを含むときに、上りリンク復調参照信号は、複数の上りリンクサブフレームのうちいずれか１つ以上で送信され、複数の上りリンクサブフレームのうちいずれか１つ以上に含まれる少なくとも１つの第１のモードのフレームフォーマットのシンボルのうち１つ以上の上で送信されてもよい。
【手続補正２１】
【補正対象書類名】明細書
【補正対象項目名】０１０６
【補正方法】変更
【補正の内容】
【０１０６】
例えば、第１のモードのフレームフォーマットは予め設定される。例えば、第１のモードのフレームフォーマットは、通信システムにおいて使用される１つ又はいくつかの指定のキャリア周波数において対応して使用されるか、或いは第１のモードのフレームフォーマットは、指定の下りリンク同期信号系列又は下りリンク同期信号を送信するための指定のフォーマットについて、すなわち、具体的な時間及び／又は周波数リソースマッピング位置において対応して使用されるか、或いは第１のモードのフレームフォーマットは、下りリンクシステム情報を送信するために使用され且つ下りリンクシステム情報内に含まれるか或いは指定されるフォーマットについて、すなわち、具体的な時間及び／又は周波数リソースマッピング位置において対応して使用される。端末は、下りリンクシステム情報における指定の対応関係又は指示情報に従って第１のモードのフレームフォーマットが使用されると習得した後に、第１のフレームフォーマットを使用する上りリンク制御情報又はランダムアクセス情報を基地局に直接送信してもよい。
【手続補正２２】
【補正対象書類名】明細書
【補正対象項目名】０１１８
【補正方法】変更
【補正の内容】
【０１１８】
通信システムがTDDシステムであるときに、第２のモードのフレームフォーマットはフレーム構造タイプ２である。第２のモードのフレームフォーマットにおける上りリンク及び下りリンク構成は表１に示されており、Dは下りリンクサブフレームを表し、Sはスペシャルサブフレームを表し、Uは上りリンクサブフレームを表す。各サブフレームの持続時間は1ミリ秒である。スペシャルサブフレームは、下りリンクパイロットタイムスロットDwPTSと、上りリンクパイロットタイムスロットUpPTSと、ガード期間GPとを含む。第１のモードのフレームフォーマットがUpPTSを含み、第１のモードのフレームフォーマットにおけるUpPTSの長さが第２のモードのフレームフォーマットにおけるUpPTSの長さ以下であるときに、上りリンク信号又はチャネルは、第１のモードのフレームフォーマットに含まれるUpPTS内で送信されない。第２のモードのフレームフォーマットにおいてスペシャルサブフレーム内のDwPTS/GP/UpPTSの長さは表２に示されている。
【表１】
2019503141.tif 000026
【表２】
2019503141.tif 000027
TsはLTEシステムにおける時間ドメインの基本単位であり、Ts=1/(15000*2048)秒である点に留意すべきである。
【手続補正２３】
【補正対象書類名】明細書
【補正対象項目名】０１２４
【補正方法】変更
【補正の内容】
【０１２４】
すなわち、第３のシナリオ、すなわち、帯域内配置のシナリオでは、1ミリ秒の時間長内に含まれる第１のモードのフレームフォーマットのシンボルのうち最後のシンボルが1ミリ秒の時間長内の最後の第２のモードのフレームフォーマットのシンボルと部分的に或いは完全に重複する場合、既存のLTE端末によるSRSの送信が影響されないように、上りリンク信号又はチャネルは、1ミリ秒の時間長内の最後の第１のモードのフレームフォーマットのシンボル上で送信されない。任意選択で、独立配置の第１のシナリオ及びガード間隔配置の第２のシナリオでは、1ミリ秒の時間長内に含まれる第１のモードのフレームフォーマットのシンボルのうち最後の第１のモードのフレームフォーマットのシンボルが1ミリ秒の時間長内の最後の第２のモードのフレームフォーマットのシンボルと部分的に或いは完全に重複するときに、上りリンク信号又はチャネルは、1ミリ秒内の最後の第１のモードのフレームフォーマットのシンボル上で送信されない。
【手続補正２４】
【補正対象書類名】明細書
【補正対象項目名】０１８０
【補正方法】変更
【補正の内容】
【０１８０】
メモリ42は、コンピュータ実行可能命令を記憶するように構成され、プロセッサ41は、システムバス43を使用することによりメモリ42に接続され、基地局が動作するときに、プロセッサ41は、メモリ42に記憶されたコンピュータ実行可能命令を実行し、それにより、基地局は、図２又は図８に示す方法において基地局により実行されるステップを実行する。具体的な方法については、図２又は図８に示す実施例における関係する説明を参照する。詳細はここでは再び説明しない。
【手続補正２５】
【補正対象書類名】明細書
【補正対象項目名】０１９４
【補正方法】変更
【補正の内容】
【０１９４】
プロセッサ51は中央処理装置（central  processing  unit,  CPU）でもよい。代替として、プロセッサ51は、他の汎用プロセッサ、デジタルシグナルプロセッサ（digital  signal  processor,  DSP）、特定用途向け集積回路（application  specific  integrated  circuit,  ASIC）、フィールドプログラマブルゲートアレイ（field-programmable  gate  array,  FPGA）又は他のプログラム可能論理デバイス、ディスクリートゲート又はトランジスタ論理デバイス、ディスクリートハードウェアアセンブリ等でもよい。汎用プロセッサはマイクロプロセッサでもよく、或いはプロセッサはいずれかの従来のプロセッサ等でもよい。
【手続補正２６】
【補正対象書類名】明細書
【補正対象項目名】０１９６
【補正方法】変更
【補正の内容】
【０１９６】
Ｆ
メモリ52は、ランダムアクセスメモリ（random-access  memory,  RAM）のような揮発性メモリ（volatile  memory）を含んでもよく、或いはメモリ52は、読み取り専用メモリ（read-only  memory,  ROM）、フラッシュメモリ（flash  memory）、ハードディスクドライブ（hard  disk  drive,  HDD）又はソリッドステートドライブ（solid-state  drive,  SSD）のような不揮発性メモリ（non-volatile  memory）を含んでもよく、或いはメモリ52は前述の種類のメモリの組み合わせを含んでもよい。
【国際調査報告】
2019503141.tif 000028
2019503141.tif 000029
2019503141.tif 000030
2019503141.tif 000031